(57)【要約】  本発明は干渉処理方法、装置、ネットワーク制御ユニット及び端末を提供し、当該方法は、第２アクセスノード及び／又は第１アクセスノードの第２端末の下り伝送パラメータ指示情報を物理下り共有チャネルＰＤＳＣＨを介して第１端末へ送信することを含み、ここで、第１端末は受信した下り伝送パラメータ指示情報に基づいて干渉除去処理を行い、本発明によると、既存技術において高級受信機にとって必要とされるターゲット端末の干渉除去情報を取得する時、シグナルのオーバーヘッドが大きく、遅延が大きい問題を解決し、シグナルのオーバーヘッドを低減し、システム性能を向上させる効果を実現できる。
2017502600.tif 000002
【特許請求の範囲】
【請求項１】
第２アクセスノード及び／又は第１アクセスノードの第２端末の下り伝送パラメータ指示情報を、物理下り共有チャネルＰＤＳＣＨを介して、第１端末へ送信することを含み、但し、前記第１端末は、受信した前記下り伝送パラメータ指示情報に基づいて、干渉除去処理を行う干渉処理方法。
【請求項２】
前記下り伝送パラメータ指示情報が、
第２端末が存在するか否かを指示する指示情報、第２端末の伝送モード情報、第２端末の下り伝送パラメータ配置情報の中の少なくとも一つを含む請求項１に記載の方法。
【請求項３】
前記下り伝送パラメータ指示情報がそれぞれ、各自独立したリソース割り当てユニットに載せられ、
第２端末が存在するか否かを指示する指示情報が現在のリソース割り当てユニットに第２端末が存在しないことを表す時、前記リソース割り当てユニットに対応する前記下り伝送パラメータ指示情報には、前記第２端末の伝送モード情報及び／又は下り伝送パラメータ配置情報を含まなく、
第２端末が存在するか否かを指示する指示情報が現在のリソース割り当てユニットに第２端末が存在することを表す時、前記リソース割り当てユニットに対応する前記下り伝送パラメータ指示情報には、前記第２端末の伝送モード情報及び／又は下り伝送パラメータ配置情報を含む請求項２に記載の方法。
【請求項４】
前記下り伝送パラメータ配置情報は、第２端末の伝送モード情報に基づいて、下記の少なくとも一つを含み、
前記伝送モード指示情報が伝送モードＴＭ１又は伝送モードＴＭ２を指示する時、前記下り伝送パラメータ配置情報は、変調符号化方式ＭＣＳ情報、ＰＤＳＣＨ開始位置情報、共通参照信号ＣＲＳの各リソースユニットエネルギーＥＰＲＥ情報の中の少なくとも一つを含み、
前記伝送モード指示情報が伝送モードＴＭ３を指示する時、前記下り伝送パラメータ配置情報は、ＭＣＳ情報、ノンゼロパワーチャネル状態情報参照信号ＮＺＰ  ＣＳＩ／ＲＳ配置、ゼロパワーチャネル状態情報参照信号ＺＰ  ＣＳＩ−ＲＳ配置、現在のリソース割り当てユニットのリソースインテックス情報、ＰＤＳＣＨ  開始位置情報、ＣＲＳのＥＰＲＥ情報の中の少なくとも一つを含み、
前記伝送モード指示情報が伝送モードＴＭ４又は伝送モードＴＭ６を指示する時、前記下り伝送パラメータ配置情報は、ランク指示ＲＩ情報、プリコーディング行列指示ＰＭＩ情報、ＰＤＳＣＨ  開始位置情報、ＭＣＳ情報、ＣＲＳのＥＰＲＥ情報の中の少なくとも一つを含み、
前記伝送モード指示情報が伝送モードＴＭ５を指示する時、前記下り伝送パラメータ配置情報は、多重化ユーザ数指示情報、ＲＩ指示情報、第１のＰＭＩ指示情報、第２のＰＭＩ指示情報、ＰＤＳＣＨ  開始位置情報、ＭＣＳ情報、ＣＲＳのＥＰＲＥ情報の中の少なくとも一つを含み、
前記伝送モード指示情報が伝送モードＴＭ７を指示する時、前記下り伝送パラメータ配置情報は、ＰＤＳＣＨ  開始位置情報、ＭＣＳ情報、現在のリソース割り当てユニットの第２端末識別子ＩＤ情報、非マルチキャスト・ブロードキャスト・シングル周波数ネットワークＭＢＳＦＮサブフレーム中のＣＲＳのＥＰＲＥ情報の中の少なくとも一つを含み、
前記伝送モード指示情報が伝送モードＴＭ８／ＴＭ９／ＴＭ１０を指示する時、前記下り伝送パラメータ配置情報は、復調化参照信号ＤＭＲＳポート数及びポート指示情報、ＰＤＳＣＨ開始位置情報、ＭＣＳ情報、ＤＭＲＳ初期化パラメータ情報、非ＭＢＳＦＮサブフレーム中のＣＲＳのＥＰＲＥ情報の中の少なくとも一つを含む請求項２に記載の方法。
【請求項５】
前記第２アクセスノード及び／又は前記第１アクセスノードの第２端末の前記下り伝送パラメータ指示情報を前記ＰＤＳＣＨを介して前記第１端末へ送信することが、
前記第２アクセスノード及び／又は前記第１アクセスノードの第２端末の前記下り伝送パラメータ指示情報を前記ＰＤＳＣＨ中の無線リソース制御ＲＲＣシグナル及び／又は媒体アクセス制御ＭＡＣメッセージに載せる方式で、前記下り伝送パラメータ指示情報を前記第１端末へ送信することを含む請求項１に記載の方法。
【請求項６】
前記第２アクセスノード及び／又は前記第１アクセスノードの第２端末の前記下り伝送パラメータ指示情報を前記ＰＤＳＣＨを介して前記第１端末へ送信することが、
前記第２アクセスノードが、前記第２アクセスノードのＰＤＳＣＨを介して、前記下り伝送パラメータ指示情報を前記第１端末へ送信することであって、但し、前記第２アクセスノードは、第２アクセスノード下り制御チャネル領域の公共捜索空間又は所定の端末専用捜索空間を介して、前記第２アクセスノードのＰＤＳＣＨをスケジューリングするための第１制御シグナルを送信すること、及び／又は、
前記第１アクセスノードが前記第１アクセスノードのＰＤＳＣＨを介して、前記下り伝送パラメータ指示情報を前記第１端末へ送信することであって、但し、前記第１アクセスノードは、第１アクセスノード下り制御チャネル領域の公共捜索空間又は所定の端末専用捜索空間を介して、前記第１アクセスノードのＰＤＳＣＨをスケジューリングするための第２制御シグナルを送信すること、を含む請求項１に記載の方法。
【請求項７】
前記第２アクセスノードが前記第２アクセスノードのＰＤＳＣＨを介して前記下り伝送パラメータ指示情報を前記第１端末へ送信する時、前記第１アクセスノードが、前記第２アクセスノードのＰＤＳＣＨが位置する時間周波数リソースの位置に対応する本セルの時間周波数リソース位置にていずれのデータも送信しなく、及び／又は、
前記第１アクセスノードが前記第１アクセスノードのＰＤＳＣＨを介して前記下り伝送パラメータ指示情報を前記第１端末へ送信する時、前記第１アクセスノードが前記下り伝送パラメータ指示情報に対応するセル識別子指示情報を追加する請求項６に記載の方法。
【請求項８】
干渉除去の実行を表すスクランブルを用いて、前記第１制御シグナル又は第２制御シグナルを伝送するための制御チャネルの巡回冗長検査コードＣＲＣについてスクランブリングを行って、及び／又は、干渉除去の実行を表すスクランブルを用いて、前記第１アクセスノード又は第２アクセスノードのＰＤＳＣＨについてスクランブリングを行う請求項６に記載の方法。
【請求項９】
前記下り伝送パラメータ指示情報がさらに下記の少なくとも一つ：
前記第２アクセスノードのセル識別子指示情報、下記の干渉源に対応するＣＲＳパラメータ情報の少なくとも一つ：、アンテナインターフェース数量情報、サイクリックプレフィックスＣＰタイプ情報、サブフレーム番号差異情報、ＭＢＳＦＮサブフレーム配置情報、上り／下りサブフレーム配置情報、特別サブフレーム配置情報を含む請求項１乃至８の中のいずれか一項に記載の方法。
【請求項１０】
ネットワーク側により物理下り共有チャネルＰＤＳＣＨを介して伝送した第２アクセスノード及び／又は第１アクセスノードの第２端末の下り伝送パラメータ指示情報を、受信することと、
受信した前記下り伝送パラメータ指示情報に基づいて、前記第２アクセスノード及び／又は前記第１アクセスノードの第２端末について干渉除去処理を行うことと、を含む干渉処理方法。
【請求項１１】
前記下り伝送パラメータ指示情報が、
第２端末が存在するか否かを指示する指示情報、第２端末の伝送モード情報、第２端末の下り伝送パラメータ配置情報の中の少なくとも一つを含む請求項１０に記載の方法。
【請求項１２】
前記下り伝送パラメータ指示情報がそれぞれ、各自独立したリソース割り当てユニットに載せられ、
第２端末が存在するか否かを指示する指示情報が現在のリソース割り当てユニットに第２端末が存在しないことを表す時、前記リソース割り当てユニットに対応する前記下り伝送パラメータ指示情報には、前記第２端末の伝送モード情報及び／又は下り伝送パラメータ配置情報を含まなく、
第２端末が存在するか否かを指示する指示情報が現在のリソース割り当てユニットに第２端末が存在することを表す時、前記リソース割り当てユニットに対応する前記下り伝送パラメータ指示情報には、前記第２端末の伝送モード情報及び／又は下り伝送パラメータ配置情報を含む請求項１１に記載の方法。
【請求項１３】
前記下り伝送パラメータ配置情報が、第２端末の伝送モード情報に基づいて下記の少なくとも一つを含み、
前記伝送モード指示情報が伝送モードＴＭ１又は伝送モードＴＭ２を指示する時、前記下り伝送パラメータ配置情報は、変調符号化方式ＭＣＳ情報、ＰＤＳＣＨ開始位置情報、共通参照信号ＣＲＳの各リソースユニットエネルギーＥＰＲＥ情報の中の少なくとも一つを含み、
前記伝送モード指示情報が伝送モードＴＭ３を指示する時、前記下り伝送パラメータ配置情報は、ＭＣＳ情報、ノンゼロパワーチャネル状態情報参照信号ＮＺＰ  ＣＳＩ／ＲＳ配置、ゼロパワーチャネル状態情報参照信号ＺＰ  ＣＳＩ−ＲＳ配置、現在のリソース割り当てユニットのリソースインテックス情報、ＰＤＳＣＨ開始位置情報、ＣＲＳのＥＰＲＥ情報の中の少なくとも一つを含み、
前記伝送モード指示情報が伝送モードＴＭ４又は伝送モードＴＭ６を指示する時、前記下り伝送パラメータ配置情報は、ランク指示ＲＩ情報、プリコーディング行列指示ＰＭＩ情報、ＰＤＳＣＨ開始位置情報、ＭＣＳ情報、ＣＲＳのＥＰＲＥ情報の中の少なくとも一つを含み、
前記伝送モード指示情報が伝送モードＴＭ５を指示する時、前記下り伝送パラメータ配置情報は、多重化ユーザ数指示情報、ＲＩ指示情報、第１のＰＭＩ指示情報、第２のＰＭＩ指示情報、ＰＤＳＣＨ開始位置情報、ＭＣＳ情報、ＣＲＳのＥＰＲＥ情報の中の少なくとも一つを含み、
前記伝送モード指示情報が伝送モードＴＭ７を指示する時、前記下り伝送パラメータ配置情報は、ＰＤＳＣＨ開始位置情報、ＭＣＳ情報、現在のリソース割り当てユニットの第２端末識別子ＩＤ情報、非マルチキャスト・ブロードキャスト・シングル周波数ネットワークＭＢＳＦＮサブフレーム中のＣＲＳのＥＰＲＥ情報の中の少なくとも一つを含み、
前記伝送モード指示情報が伝送モードＴＭ８／ＴＭ９／ＴＭ１０を指示する時、前記下り伝送パラメータ配置情報は、復調化参照信号ＤＭＲＳポート数及びポート指示情報、ＰＤＳＣＨ開始位置情報、ＭＣＳ情報、ＤＭＲＳ初期化パラメータ情報、非ＭＢＳＦＮサブフレーム中のＣＲＳのＥＰＲＥ情報の中の少なくとも一つを含む請求項１２に記載の方法。
【請求項１４】
ネットワーク側により前記ＰＤＳＣＨを介して伝送した第２アクセスノード及び／又は第１アクセスノードの第２端末の下り伝送パラメータ指示情報を、受信することが、
前記第２アクセスノード及び／又は前記第１アクセスノードの第２端末の前記下り伝送パラメータ指示情報を前記ＰＤＳＣＨ中の無線リソース制御ＲＲＣシグナル及び／又は媒体アクセス制御ＭＡＣメッセージに載せる方式で、前記ネットワーク側が伝送した前記下り伝送パラメータ指示情報を受信することを含む請求項１０に記載の方法。
【請求項１５】
前記ネットワーク側により前記ＰＤＳＣＨを介して伝送した前記第２アクセスノード及び／又は前記第１アクセスノードの第２端末の前記下り伝送パラメータ指示情報を、受信することが、
前記第２アクセスノードのＰＤＳＣＨを介して、前記ネットワーク側が伝送した前記下り伝送パラメータ指示情報を受信することであって、但し、前記第２アクセスノードの下り制御チャネル領域の公共捜索空間又は所定の端末専用捜索空間を介して、前記第２アクセスノードが伝送した前記第２アクセスノードのＰＤＳＣＨをスケジューリングするための第１制御シグナルを受信すること、及び／又は、
前記第１アクセスノードのＰＤＳＣＨを介して、前記ネットワーク側が伝送した前記下り伝送パラメータ指示情報を受信することであって、但し、前記第１アクセスノードの下り制御チャネル領域の公共捜索空間又は所定の端末専用捜索空間を介して、前記第１アクセスノードが伝送した前記第１アクセスノードのＰＤＳＣＨをスケジューリングするための第２制御シグナルを受信すること、を含む請求項１０に記載の方法。
【請求項１６】
干渉除去の実行を表すスクランブルを用いて、前記第１制御シグナル又は第２制御シグナルを伝送するための制御チャネルの巡回冗長検査コードＣＲＣについてスクランブリングを行い、及び／又は、干渉除去の実行を表すスクランブルを用いて、前記第１アクセスノード又は第２アクセスノードのＰＤＳＣＨについてスクランブリングを行う請求項１５に記載の方法。
【請求項１７】
前記ネットワーク側により前記ＰＤＳＣＨを介して伝送した前記第２アクセスノード及び／又は前記第１アクセスノードの第２端末の前記下り伝送パラメータ指示情報を受信することが、
前記第２アクセスノード及び／又は前記第１アクセスノードの第２端末のセル識別子指示情報を取得することと、
前記セル識別子指示情報により指示されたセルの下り制御チャネル領域にて、前記下り伝送パラメータ配置情報を伝送する前記ＰＤＳＣＨをスケジューリングするための下り許可制御シグナルを受信することと、
前記下り許可制御シグナルによりスケジューリングされた前記ＰＤＳＣＨにて前記下り伝送パラメータ指示情報を受信することと、を含む請求項１０に記載の方法。
【請求項１８】
前記下り伝送パラメータ指示情報がさらに下記の少なくとも一つ：
前記第２アクセスノードのセル識別子指示情報、下記の干渉源に対応するＣＲＳパラメータ情報の少なくとも一つ：アンテナインターフェース数量情報、サイクリックプレフィックスＣＰタイプ情報、サブフレーム番号差異情報、ＭＢＳＦＮサブフレーム配置情報、上り／下りサブフレーム配置情報、特別サブフレーム配置情報を含む請求項１０乃至１７の中のいずれか一項に記載の方法。
【請求項１９】
第２アクセスノード及び／又は第１アクセスノードの第２端末の下り伝送パラメータ指示情報を物理下り共有チャネルＰＤＳＣＨを介して第１端末へ送信するように構成される送信モジュールであって、但し、前記第１端末は受信した前記下り伝送パラメータ指示情報に基づいて干渉除去処理を行う送信モジュールを含む干渉処理装置。
【請求項２０】
前記送信モジュールが、
前記第２アクセスノード及び／又は前記第１アクセスノードの第２端末の前記下り伝送パラメータ指示情報を前記ＰＤＳＣＨ中の無線リソース制御ＲＲＣシグナル及び／又は媒体アクセス制御ＭＡＣメッセージに載せる方式で、前記下り伝送パラメータ指示情報を前記第１端末へ送信するように構成される第１送信ユニットを含む請求項１９に記載の装置。
【請求項２１】
前記送信モジュールが、
前記第２アクセスノードが前記第２アクセスノードのＰＤＳＣＨを介して前記下り伝送パラメータ指示情報を前記第１端末に送信するように構成される第２送信ユニットであって、但し、前記第２アクセスノードは、第２アクセスノード下り制御チャネル領域の公共捜索空間又は所定の端末専用捜索空間を介して前記第２アクセスノードのＰＤＳＣＨをスケジューリングするための第１制御シグナルを送信する第２送信ユニット、及び／又は、
前記第１アクセスノードが前記第１アクセスノードのＰＤＳＣＨを介して前記下り伝送パラメータ指示情報を前記第１端末へ送信するように構成される第３送信ユニットであって、但し、前記第１アクセスノードは、第１アクセスノード下り制御チャネル領域の公共捜索空間又は所定の端末専用捜索空間を介して、前記第１アクセスノードのＰＤＳＣＨをスケジューリングするための第２制御シグナルを受信する第３送信ユニットを、含む請求項１９に記載の装置。
【請求項２２】
請求項１９乃至２１の中のいずれか一項に記載の装置を含むネットワーク制御ユニット。
【請求項２３】
ネットワーク側により物理下り共有チャネルＰＤＳＣＨを介して伝送した第２アクセスノード及び／又は第１アクセスノードの第２端末の下り伝送パラメータ指示情報を受信するように構成される受信モジュールと、
受信した前記下り伝送パラメータ指示情報に基づいて前記第２アクセスノード及び／又は前記第１アクセスノードの第２端末について干渉除去処理を行うように構成される処理モジュールと、を含む干渉処理装置。
【請求項２４】
前記受信モジュールが、
前記第２アクセスノード及び／又は前記第１アクセスノードの第２端末の前記下り伝送パラメータ指示情報を前記ＰＤＳＣＨ中の無線リソース制御ＲＲＣシグナル及び／又は媒体アクセス制御ＭＡＣメッセージに載せる方式で、前記ネットワーク側が伝送した前記下り伝送パラメータ指示情報を受信するように構成される第１受信ユニットを含む請求項２３に記載の装置。
【請求項２５】
前記受信モジュールが、
前記第２アクセスノードのＰＤＳＣＨを介して、前記ネットワーク側が伝送した前記下り伝送パラメータ指示情報を受信するように構成される第２受信ユニットであって、但し、前記第２アクセスノードの下り制御チャネル領域の公共捜索空間又は所定の端末専用捜索空間を介して、前記第２アクセスノードが伝送した前記第２アクセスノードのＰＤＳＣＨをスケジューリングするための第１制御シグナルを受信する第２受信ユニット、及び／又は、
前記第１アクセスノードのＰＤＳＣＨを介して、前記ネットワーク側が伝送した前記下り伝送パラメータ指示情報を受信するように構成される第３受信ユニットであって、但し、前記第１アクセスノードの下り制御チャネル領域の公共捜索空間又は所定の端末専用捜索空間を介して、前記第１アクセスノードが伝送した前記第１アクセスノードのＰＤＳＣＨをスケジューリングするための第２制御シグナルを受信する第３受信ユニットを、含む請求項２３に記載の装置。
【請求項２６】
前記受信モジュールが、
前記第２アクセスノード及び／又は前記第１アクセスノードの第２端末のセル識別子指示情報を取得するように構成される取得ユニットと、
前記セル識別子指示情報により指示されたセルの下り制御チャネル領域にて、前記下り伝送パラメータ配置情報を伝送する前記ＰＤＳＣＨをスケジューリングするための下り許可制御シグナルを受信するように構成される第４受信ユニットと、
前記下り許可制御シグナルによりスケジューリングされた前記ＰＤＳＣＨにて、前記下り伝送パラメータ指示情報を受信するように構成される第５受信ユニットと、を含む請求項２３に記載の装置。
【請求項２７】
請求項２３乃至２６の中のいずれか一項に記載の装置を含む端末。
【発明の詳細な説明】
【技術分野】
【０００１】
本発明は、通信分野に関し、具体的に、干渉処理方法、装置、ネットワーク制御ユニット及び端末に関する。
【背景技術】
【０００２】
セル間干渉は、セルラ移動通信システム固有の問題で、伝統的な解決方法は、周波数多重化によって、隣接するセルに異なる搬送周波数を使用してもらうことで、隣接するセル間の干渉問題を回避している。直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭと略称）システムにおいて、周波数多重化係数は１であって、即ち、隣接するセルが同一の搬送周波数を使用し、それによるセル間干渉問題も伝統的な周波数多重化システムより複雑である。長期進化（Ｌｏｎｇ  Ｔｅｒｍ  Ｅｖｏｌｕｔｉｏｎ、ＬＴＥと略称）は、ＯＦＤＭ技術に基づくシステムで、主に、セル間干渉のランダム化、干渉の回避や調和技術で干渉問題を解決していて、ネットワーク側のプリコーディング、協調的なスケジューリング等の方式によって、送信側で干渉の回避を実現している。しかし、送信側の干渉協調は、フィードバックされるチャネル状態情報（Ｃｈａｎｎｅｌ  Ｓｔａｔｅ  Ｉｎｆｏｒｍａｔｉｏｎ、ＣＳＩと略称）の正確度の影響を大変受ける。フィードバックシグナルのオーバーヘッドの制限及びフィードバック処理の遅延の影響を受けて、同時に、バックホールの遅延問題もセル間協調効果に大きい影響を与え、現在のＬＴＥシステムの送信側干渉協調に基づく方法は、干渉問題を完全に解決することができず、如何にセル間及びユーザ間の干渉を有効に除去し抑制するかは、今後スペクトル効率を一層向上させる重要な方向となった。
【０００３】
ＬＴＥシステムにおいて、共通参照信号（Ｃｏｍｍｏｎ  Ｒｅｆｅｒｅｎｃｅ  Ｓｉｇｎａｌ、ＣＲＳと略称）でパイロット測量やデータ復調化を行っていて、即ち、全てのユーザがＣＲＳを用いてチャネル推定を行っている。ＣＲＳに基づくプリコーディング処理方式を用いる時、送信側が受信側に別途にデータ送信時に使用した具体的なプリコーディング行列（プリコーディング重みとも呼ばれる）情報を通知しなければならなく、且つパイロットのオーバーヘッドも大きい。そして、マルチユーザマルチ入力マルチ出力（Ｍｕｌｔｉ−ｕｓｅｒ  Ｍｕｌｔｉ−ｉｎｐｕｔ  Ｍｕｌｔｉ−ｏｕｔｐｕｔ、ＭＵ−ＭＩＭＯと略称）システムにおいて、複数の端末が同一のＣＲＳを使用するので、パイロットの直交を実現できなく、干渉を推定することができない。
【０００４】
発展型長期進化（Ａｄｖａｎｃｅｄ  Ｌｏｎｇ  Ｔｅｒｍ  Ｅｖｏｌｕｔｉｏｎ、ＬＴＥ−Ａと略称）システムにおいて、パイロットのオーバーヘッドを低減し、チャネル推定の正確度を向上させるため、パイロット測量とデータ復調化の機能を区分して、それぞれ、復調化参照信号（Ｄｅｍｏｄｕｌａｔｉｏｎ  Ｒｅｆｅｒｅｎｃｅ  Ｓｉｇｎａｌ、ＤＭＲＳと略称）とチャネル状態情報参照信号（Ｃｈａｎｎｅｌ  Ｓｔａｔｅ  Ｉｎｆｏｒｍａｔｉｏｎ  Ｒｅｆｅｒｅｎｃｅｄ  Ｓｉｇｎａｌ、ＣＳＩ−ＲＳと略称）との２種類の参照信号を定義した。ここで、ＣＳＩ−ＲＳは主に、チャネル測量に用いられて、チャネル品質情報（Ｃｈａｎｎｅｌ  Ｑｕａｌｉｔｙ  Ｉｎｆｏｒｍａｔｉｏｎ、ＣＱＩと略称）を取得してフィードバックすることで、基地局側が該情報を利用してユーザのスケジューリングと変調符号化方式（Ｍｏｄｕｌａｔｉｏｎ  ａｎｄ  Ｃｏｄｉｎｇ  Ｓｃｈｅｍｅ、ＭＣＳと略称）の適応型割り当てを実現し、ＣＳＩ−ＲＳの伝送中にプリコーディング情報を載せない。一方、ＤＭＲＳは主に、物理下り共有チャネル（Ｐｈｙｓｉｃａｌ  Ｄｏｗｎｌｉｎｋ  Ｓｈａｒｅｄ  Ｃｈａｎｎｅｌ、ＰＤＳＣＨと略称）及び拡張型物理下り制御チャネル（ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、ｅＰＤＣＣＨと略称）のチャネル推定に用いられて、データ／制御チャネルの復調化を完成し、ＤＭＲＳの伝送に対応するＰＤＳＣＨ／ｅＰＤＣＣＨのプリコーディング情報が載せられる。ＬＴＥとＬＴＥ−Ａシステムは、上り下り複信方式の違いによって、周波数分割複信（Ｆｒｅｑｕｅｎｃｙ  Ｄｉｖｉｓｉｏｎ  Ｄｕｐｌｅｘ、ＦＤＤと略称）と時分割複信（Ｔｉｍｅ  Ｄｉｖｉｓｉｏｎ  Ｄｕｐｌｅｘ、ＴＤＤと略称）システムに分けられ、ＦＤＤとＴＤＤシステムのＣＳＩ−ＲＳとＤＭＲＳのパターンは少し異なっている。
【０００５】
受信側の高級受信機の研究において、高級受信機は主に、最小平均２乗誤差−干渉抑圧合成（Ｍｉｎｉｍｕｍ  Ｍｅａｎ  Ｓｑｕａｒｅ  Ｅｒｒｏｒ−Ｉｎｔｅｒｆｅｒｅｎｃｅ  Ｒｅｊｅｃｔｉｏｎ  Ｃｏｍｂｉｎｉｎｇ、ＭＭＳＥ−ＩＲＣと略称）受信機と、干渉除去（Ｉｎｔｅｒｆｅｒｅｎｃｅ  Ｃａｎｃｅｌｌａｔｉｏｎ、ＩＣと略称）受信機と、最尤（Ｍａｘｉｍｕｍ  Ｌｉｋｅｌｉｈｏｏｄ、ＭＬと略称）受信機とに分けられる。
【０００６】
ＭＭＳＥ−ＩＲＣ受信機（ＤＭＲＳ−ｂａｓｅｄであるとする）の場合、ネットワーク側がターゲットＵＥに干渉ＵＥが使用したＤＭＲＳポート情報、ＤＭＲＳの初期化パラメータ（スクランブルＩＤ、仮想セルＩＤ、物理セルＩＤ等を含む）を提供しなければならない。ＩＣとＭＬ受信機の場合、ネットワーク側がＭＭＳＥ−ＩＲＣが必要とする上記情報を提供する以外、干渉ソースの変調方式又はＭＣＳ情報をさらに提供しなければならない。このように、これらの情報をセル間のＸ２インターフェースやエアー・インターフェースを介して伝送すると、大量のＸ２シグナルオーバーヘッドやエアー・インターフェースシグナルオーバーヘッドを浪費してしまい、大きい遅延をもたらすことになり、最終的に、高級受信機技術を実際のシステムに応用しにくくなる。特に、Ｎｏｎ−ｉｄｅａｌ  ｂａｃｋｈａｕｌのネットワーク条件において、ノード間の伝送遅延が大きく、例えばＤＭＲＳポート情報、変調方式又はＭＣＳ等の動的パラメータはｎｏｎ−ｉｄｅａｌ  ｂａｃｋｈａｕｌ状況でのＸ２インターフェースで伝送するに適合しない。
【０００７】
従って、既存技術において、高級受信機が必要とするターゲット端末の干渉除去情報を取得する時、シグナルのオーバーヘッドが大きく、遅延が大きい問題が存在している。
【発明の概要】
【発明が解決しようとする課題】
【０００８】
本発明は、少なくとも既存技術において高級受信機にとって必要とされるターゲット端末の干渉除去情報を取得する時、シグナルのオーバーヘッドが大きく、遅延が大きい問題を解決できる干渉処理方法、装置、ネットワーク制御ユニット及び端末を提供する。
【課題を解決するための手段】
【０００９】
本発明の一態様によると、第２アクセスノード及び／又は第１アクセスノードの第２端末の下り伝送パラメータ指示情報を、物理下り共有チャネルＰＤＳＣＨを介して、第１端末へ送信することを含み、ここで、前記第１端末は受信した前記下り伝送パラメータ指示情報に基づいて、干渉除去処理を行う干渉処理方法を提供する。
【００１０】
前記下り伝送パラメータ指示情報が、第２端末が存在するか否かを指示する指示情報、第２端末の伝送モード情報、第２端末の下り伝送パラメータ配置情報の中の少なくとも一つを含むことが好ましい。
【００１１】
前記下り伝送パラメータ指示情報がそれぞれ、各自独立したリソース割り当てユニットに載せられ、第２端末が存在するか否かを指示する指示情報が現在のリソース割り当てユニットに第２端末が存在しないことを表す時、前記リソース割り当てユニットに対応する前記下り伝送パラメータ指示情報には、前記第２端末の伝送モード情報及び／又は下り伝送パラメータ配置情報を含まなく、第２端末が存在するか否かを指示する指示情報が現在のリソース割り当てユニットに第２端末が存在することを表す時、前記リソース割り当てユニットに対応する前記下り伝送パラメータ指示情報には、前記第２端末の伝送モード情報及び／又は下り伝送パラメータ配置情報を含むことが好ましい。
【００１２】
前記下り伝送パラメータ配置情報は、第２端末の伝送モード情報に基づいて下記の少なくとも一つを含むことが好ましい。前記伝送モード指示情報が伝送モードＴＭ１又は伝送モードＴＭ２を指示する時、前記下り伝送パラメータ配置情報は、変調符号化方式ＭＣＳ情報、ＰＤＳＣＨ開始位置情報、共通参照信号ＣＲＳの各リソースユニットエネルギーＥＰＲＥ情報の中の少なくとも一つを含む。前記伝送モード指示情報が伝送モードＴＭ３を指示する時、前記下り伝送パラメータ配置情報は、ＭＣＳ情報、ノンゼロパワーチャネル状態情報参照信号ＮＺＰ  ＣＳＩ／ＲＳ配置、ゼロパワーチャネル状態情報参照信号ＺＰ  ＣＳＩ−ＲＳ配置、現在のリソース割り当てユニットのリソースインテックス情報、ＰＤＳＣＨ  開始位置情報、ＣＲＳのＥＰＲＥ情報の中の少なくとも一つを含む。前記伝送モード指示情報が伝送モードＴＭ４又は伝送モードＴＭ６を指示する時、前記下り伝送パラメータ配置情報は、ランク指示ＲＩ情報、プリコーディング行列指示ＰＭＩ情報、ＰＤＳＣＨ  開始位置情報、ＭＣＳ情報、ＣＲＳのＥＰＲＥ情報の中の少なくとも一つを含む。前記伝送モード指示情報が伝送モードＴＭ５を指示する時、前記下り伝送パラメータ配置情報は、多重化ユーザ数指示情報、ＲＩ指示情報、第１のＰＭＩ指示情報、第２のＰＭＩ指示情報、ＰＤＳＣＨ  開始位置情報、ＭＣＳ情報、ＣＲＳのＥＰＲＥ情報の中の少なくとも一つを含む。前記伝送モード指示情報が伝送モードＴＭ７を指示する時、前記下り伝送パラメータ配置情報は、ＰＤＳＣＨ  開始位置情報、ＭＣＳ情報、現在のリソース割り当てユニットの第２端末識別子ＩＤ情報、非マルチキャスト・ブロードキャスト・シングル周波数ネットワークＭＢＳＦＮサブフレーム中のＣＲＳのＥＰＲＥ情報の中の少なくとも一つを含む。前記伝送モード指示情報が伝送モードＴＭ８／ＴＭ９／ＴＭ１０を指示する時、前記下り伝送パラメータ配置情報は、復調化参照信号ＤＭＲＳ  ポート数及びポート指示情報、ＰＤＳＣＨ  開始位置情報、ＭＣＳ情報、ＤＭＲＳ初期化パラメータ情報、非ＭＢＳＦＮサブフレーム中のＣＲＳのＥＰＲＥ情報の中の少なくとも一つを含む。
【００１３】
前記第２アクセスノード及び／又は前記第１アクセスノードの第２端末の前記下り伝送パラメータ指示情報を前記ＰＤＳＣＨを介して前記第１端末へ送信することが、前記第２アクセスノード及び／又は前記第１アクセスノードの第２端末の前記下り伝送パラメータ指示情報を前記ＰＤＳＣＨ中の無線リソース制御ＲＲＣシグナル及び／又は媒体アクセス制御ＭＡＣメッセージに載せる方式で、前記下り伝送パラメータ指示情報を前記第１端末へ送信することを含むことが好ましい。
【００１４】
前記第２アクセスノード及び／又は前記第１アクセスノードの第２端末の前記下り伝送パラメータ指示情報を前記ＰＤＳＣＨを介して前記第１端末へ送信することが、前記第２アクセスノードが、前記第２アクセスノードのＰＤＳＣＨを介して、前記下り伝送パラメータ指示情報を前記第１端末へ送信することであって、但し、前記第２アクセスノードは、第２アクセスノード下り制御チャネル領域の公共捜索空間又は所定の端末専用捜索空間を介して、前記第２アクセスノードのＰＤＳＣＨをスケジューリングするための第１制御シグナルを送信すること、及び／又は、前記第１アクセスノードが前記第１アクセスノードのＰＤＳＣＨを介して、前記下り伝送パラメータ指示情報を前記第１端末へ送信することであって、但し、前記第１アクセスノードは、第１アクセスノード下り制御チャネル領域の公共捜索空間又は所定の端末専用捜索空間を介して、前記第１アクセスノードのＰＤＳＣＨをスケジューリングするための第２制御シグナルを送信すること、を含むことが好ましい。
【００１５】
前記第２アクセスノードが前記第２アクセスノードのＰＤＳＣＨを介して前記下り伝送パラメータ指示情報を前記第１端末へ送信する時、前記第１アクセスノードが、前記第２アクセスノードのＰＤＳＣＨが位置する時間周波数リソースの位置に対応する本セルの時間周波数リソース位置にていずれのデータも送信しなく、及び／又は、前記第１アクセスノードが前記第１アクセスノードのＰＤＳＣＨを介して前記下り伝送パラメータ指示情報を前記第１端末へ送信する時、前記第１アクセスノードが前記下り伝送パラメータ指示情報に対応するセル識別子指示情報を追加することが好ましい。
【００１６】
干渉除去の実行を表すスクランブルを用いて、前記第１制御シグナル又は第２制御シグナルを伝送するための制御チャネルの巡回冗長検査コードＣＲＣについてスクランブリングを行って、及び／又は、干渉除去の実行を表すスクランブルを用いて、前記第１アクセスノード又は、第２アクセスノードのＰＤＳＣＨについてスクランブリングを行うことが好ましい。
【００１７】
前記下り伝送パラメータ指示情報が下記の少なくとの一つを含む。前記第２アクセスノードのセル識別子指示情報、下記の干渉源に対応するＣＲＳパラメータ情報の少なくとも一つ：アンテナインターフェース数量情報、サイクリックプレフィックスＣＰタイプ情報、サブフレーム番号差異情報、ＭＢＳＦＮサブフレーム配置情報、上り／下りサブフレーム配置情報、特別サブフレーム配置情報。
【００１８】
本発明の他の一態様によると、ネットワーク側が物理下り共有チャネルＰＤＳＣＨを介して伝送した第２アクセスノード及び／又は第１アクセスノードの第２端末の下り伝送パラメータ指示情報を受信することと、受信した前記下り伝送パラメータ指示情報に基づいて、前記第２アクセスノード及び／又は前記第１アクセスノードの第２端末に干渉除去処理を行うことと、を含む干渉処理方法を提供する。
【００１９】
前記下り伝送パラメータ指示情報が、第２端末が存在するか否かを指示する指示情報、第２端末の伝送モード情報、第２端末の下り伝送パラメータ配置情報の中の少なくとも一つを含むことが好ましい。
【００２０】
前記下り伝送パラメータ指示情報がそれぞれ、各自独立したリソース割り当てユニットに載せられ、第２端末が存在するか否かを指示する指示情報が現在のリソース割り当てユニットに第２端末が存在しないことを表す時、前記リソース割り当てユニットに対応する前記下り伝送パラメータ指示情報には、前記第２端末の伝送モード情報及び／又は下り伝送パラメータ配置情報を含まなく、第２端末が存在するか否かを指示する指示情報が現在のリソース割り当てユニットに第２端末が存在することを表す時、前記リソース割り当てユニットに対応する前記下り伝送パラメータ指示情報に、前記第２端末の伝送モード情報及び／又は下り伝送パラメータ配置情報を含むことが好ましい。
【００２１】
前記下り伝送パラメータ配置情報が、第２端末の伝送モード情報に基づいて下記の少なくとの一つを含むことが好ましい。前記伝送モード指示情報が伝送モードＴＭ１又は伝送モードＴＭ２を指示する時、前記下り伝送パラメータ配置情報は、変調符号化方式ＭＣＳ情報、ＰＤＳＣＨ開始位置情報、共通参照信号ＣＲＳの各リソースユニットエネルギーＥＰＲＥ情報の中の少なくとも一つを含む。前記伝送モード指示情報が伝送モードＴＭ３を指示する時、前記下り伝送パラメータ配置情報は、ＭＣＳ情報、ノンゼロパワーチャネル状態情報参照信号ＮＺＰ  ＣＳＩ／ＲＳ配置、ゼロパワーチャネル状態情報参照信号ＺＰ  ＣＳＩ−ＲＳ配置、現在のリソース割り当てユニットのリソースインテックス情報、ＰＤＳＣＨ  開始位置情報、ＣＲＳのＥＰＲＥ情報の中の少なくとも一つを含む。前記伝送モード指示情報が伝送モードＴＭ４又は伝送モードＴＭ６を指示する時、前記下り伝送パラメータ配置情報は、ランク指示ＲＩ情報、プリコーディング行列指示ＰＭＩ情報、ＰＤＳＣＨ  開始位置情報、ＭＣＳ情報、ＣＲＳのＥＰＲＥ情報の中の少なくとも一つを含む。前記伝送モード指示情報が伝送モードＴＭ５を指示する時、前記下り伝送パラメータ配置情報は、多重化ユーザ数指示情報、ＲＩ指示情報、第１のＰＭＩ指示情報、第２のＰＭＩ指示情報、ＰＤＳＣＨ  開始位置情報、ＭＣＳ情報、ＣＲＳのＥＰＲＥ情報の中の少なくとも一つを含む。前記伝送モード指示情報が伝送モードＴＭ７を指示する時、前記下り伝送パラメータ配置情報は、ＰＤＳＣＨ  開始位置情報、ＭＣＳ情報、現在のリソース割り当てユニットの第２端末識別子ＩＤ情報、非マルチキャスト・ブロードキャスト・シングル周波数ネットワークＭＢＳＦＮサブフレーム中のＣＲＳのＥＰＲＥ情報の中の少なくとも一つを含む。前記伝送モード指示情報が伝送モードＴＭ８／ＴＭ９／ＴＭ１０を指示する時、前記下り伝送パラメータ配置情報は、復調化参照信号ＤＭＲＳ  ポート数及びポート指示情報、ＰＤＳＣＨ  開始位置情報、ＭＣＳ情報、ＤＭＲＳ初期化パラメータ情報、非ＭＢＳＦＮサブフレーム中のＣＲＳのＥＰＲＥ情報の中の少なくとも一つを含む。
【００２２】
ネットワーク側が前記ＰＤＳＣＨを介して伝送した第２アクセスノード及び／又は第１アクセスノードの第２端末の下り伝送パラメータ指示情報を受信することが、前記第２アクセスノード及び／又は前記第１アクセスノードの第２端末の前記下り伝送パラメータ指示情報を前記ＰＤＳＣＨ中の無線リソース制御ＲＲＣシグナル及び／又は媒体アクセス制御ＭＡＣメッセージに載せる方式で、前記ネットワーク側が伝送した前記下り伝送パラメータ指示情報を受信することを含むことが好ましい。
【００２３】
前記ネットワーク側が前記ＰＤＳＣＨを介して伝送した前記第２アクセスノード及び／又は前記第１アクセスノードの第２端末の前記下り伝送パラメータ指示情報を受信することが、前記第２アクセスノードのＰＤＳＣＨを介して、前記ネットワーク側が伝送した前記下り伝送パラメータ指示情報を受信することであって、但し、前記第２アクセスノードの下り制御チャネル領域の公共捜索空間又は所定の端末専用捜索空間を介して前記第２アクセスノードが伝送した前記第２アクセスノードのＰＤＳＣＨをスケジューリングするための第１制御シグナルを受信すること、及び／又は、前記第１アクセスノードのＰＤＳＣＨを介して、前記ネットワーク側が伝送した前記下り伝送パラメータ指示情報を受信することであって、但し、前記第１アクセスノードの下り制御チャネル領域の公共捜索空間又は所定の端末専用捜索空間を介して、前記第１アクセスノードが伝送した前記第１アクセスノードのＰＤＳＣＨをスケジューリングするための第２制御シグナルを受信すること、を含むことが好ましい。
【００２４】
干渉除去の実行を表すスクランブルを用いて、前記第１制御シグナル又は第２制御シグナルを伝送するための制御チャネルの巡回冗長検査コードＣＲＣについてスクランブリングを行い、及び／又は、干渉除去の実行を表すスクランブルを用いて、前記第１アクセスノード又は第２アクセスノードのＰＤＳＣＨについてスクランブリングを行うことが好ましい。
【００２５】
前記ネットワーク側が前記ＰＤＳＣＨを介して伝送した前記第２アクセスノード及び／又は前記第１アクセスノードの第２端末の前記下り伝送パラメータ指示情報を受信することが、前記第２アクセスノード及び／又は前記第１アクセスノードの第２端末のセル識別子指示情報を取得することと、前記セル識別子指示情報により指示されたセルの下り制御チャネル領域にて、前記下り伝送パラメータ配置情報を伝送する前記ＰＤＳＣＨをスケジューリングするための下り許可制御シグナルを受信することと、前記下り許可制御シグナルによりスケジューリングされた前記ＰＤＳＣＨにて前記下り伝送パラメータ指示情報を受信することと、を含むことが好ましい。
【００２６】
前記下り伝送パラメータ指示情報がさらに下記の少なくとも一つを含むことが好ましい。前記第２アクセスノードのセル識別子指示情報、下記の干渉源に対応するＣＲＳパラメータ情報の少なくとも一つ：アンテナインターフェース数量情報、サイクリックプレフィックスＣＰタイプ情報、サブフレーム番号差異情報、ＭＢＳＦＮサブフレーム配置情報、上り／下りサブフレーム配置情報、特別サブフレーム配置情。
【００２７】
本発明の他の一態様によると、第２アクセスノード及び／又は第１アクセスノードの第２端末の下り伝送パラメータ指示情報を物理下り共有チャネルＰＤＳＣＨを介して第１端末へ送信するように構成される送信モジュールを含み、ここで、前記第１端末は、受信した前記下り伝送パラメータ指示情報に基づいて干渉除去処理を行う干渉処理装置を提供する。
【００２８】
前記送信モジュールが、前記第２アクセスノード及び／又は前記第１アクセスノードの第２端末の前記下り伝送パラメータ指示情報を前記ＰＤＳＣＨ中の無線リソース制御ＲＲＣシグナル及び／又は媒体アクセス制御ＭＡＣメッセージに載せる方式で、前記下り伝送パラメータ指示情報を前記第１端末へ送信するように構成される第１送信ユニットを含むことが好ましい。
【００２９】
前記送信モジュールが、前記第２アクセスノードが前記第２アクセスノードのＰＤＳＣＨを介して前記下り伝送パラメータ指示情報を前記第１端末へ送信するように構成される第２送信ユニットであって、但し、前記第２アクセスノードは、第２アクセスノード下り制御チャネル領域の公共捜索空間又は所定の端末専用捜索空間を介して前記第２アクセスノードのＰＤＳＣＨをスケジューリングするための第１制御シグナルを送信する第２送信ユニット、及び／又は、前記第１アクセスノードが前記第１アクセスノードのＰＤＳＣＨを介して前記下り伝送パラメータ指示情報を前記第１端末へ送信するように構成される第３送信ユニットであって、但し、前記第１アクセスノードは、第１アクセスノード下り制御チャネル領域の公共捜索空間又は所定の端末専用捜索空間を介して、前記第１アクセスノードのＰＤＳＣＨをスケジューリングするための第２制御シグナルを受信する第３送信ユニット、を含むことが好ましい。
【００３０】
本発明の他の一態様によると、上記のいずれかの装置を含むネットワーク制御ユニットを提供する。
【００３１】
本発明の他の一態様によると、ネットワーク側が物理下り共有チャネルＰＤＳＣＨを介して伝送した第２アクセスノード及び／又は第１アクセスノードの第２端末の下り伝送パラメータ指示情報を受信するように構成される受信モジュールと、受信した前記下り伝送パラメータ指示情報に基づいて前記第２アクセスノード及び／又は前記第１アクセスノードの第２端末について干渉除去処理を行うように構成される処理モジュールと、を含む干渉処理装置を提供する。
【００３２】
前記受信モジュールが、前記第２アクセスノード及び／又は前記第１アクセスノードの第２端末の前記下り伝送パラメータ指示情報を前記ＰＤＳＣＨ中の無線リソース制御ＲＲＣシグナル及び／又は媒体アクセス制御ＭＡＣメッセージに載せる方式で、前記ネットワーク側が伝送した前記下り伝送パラメータ指示情報を受信するように構成される第１受信ユニットを含むことが好ましい。
【００３３】
前記受信モジュールが、前記第２アクセスノードのＰＤＳＣＨを介して前記ネットワーク側が伝送した前記下り伝送パラメータ指示情報を受信するように構成される第２受信ユニットであって、但し、前記第２アクセスノードの下り制御チャネル領域の公共捜索空間又は所定の端末専用捜索空間を介して前記第２アクセスノードが伝送した前記第２アクセスノードのＰＤＳＣＨをスケジューリングするための第１制御シグナルを受信する第２受信ユニット、及び／又は、前記第１アクセスノードのＰＤＳＣＨを介して前記ネットワーク側が伝送した前記下り伝送パラメータ指示情報を受信するように構成される第３受信ユニットであって、但し、前記第１アクセスノードの下り制御チャネル領域の公共捜索空間又は所定の端末専用捜索空間を介して前記第１アクセスノードが伝送した前記第１アクセスノードのＰＤＳＣＨをスケジューリングするための第２制御シグナルを受信する第３受信ユニット、を含むことが好ましい。
【００３４】
前記受信モジュールが、前記第２アクセスノード及び／又は前記第１アクセスノードの第２端末のセル識別子指示情報を取得するように構成される取得ユニットと、前記セル識別子指示情報により指示されたセルの下り制御チャネル領域にて、前記下り伝送パラメータ配置情報を伝送する前記ＰＤＳＣＨをスケジューリングするための下り許可制御シグナルを受信するように構成される第４受信ユニットと、前記下り許可制御シグナルによりスケジューリングされた前記ＰＤＳＣＨにて、前記下り伝送パラメータ指示情報を受信するように構成される第５受信ユニットと、を含むことが好ましい。
【００３５】
本発明の他の一態様によると、上記のいずれかの装置を含む端末を提供する。
【発明の効果】
【００３６】
本発明によると、第２アクセスノード及び／又は第１アクセスノードの第２端末の下り伝送パラメータ指示情報を物理下り共有チャネルＰＤＳＣＨを介して第１端末へ送信し、前記第１端末は受信した前記下り伝送パラメータ指示情報に基づいて干渉除去処理を行うことによって、既存技術において高級受信機にとって必要とされるターゲット端末の干渉除去情報を取得する時、シグナルのオーバーヘッドが大きく、遅延が大きい問題を解決し、シグナルのオーバーヘッドを低減し、システム性能を向上させる効果を実現できる。
【図面の簡単な説明】
【００３７】
ここで説明する図面は本発明を一層理解させるためのもので、本願の一部を構成し、本発明に示す実施例及びその説明は本発明を解釈するもので、本発明を限定するものではない。
【図１】本発明の実施例に係る干渉処理方法１を示すフローチャートである。
【図２】本発明の実施例に係る干渉処理方法２を示すフローチャートである。
【図３】本発明の実施例に係る干渉処理装置一の構造を示すブロック図である。
【図４】本発明の実施例に係る干渉処理装置一における送信モジュール３２の構造を示すブロック図１である。
【図５】本発明の実施例に係る干渉処理装置一における送信モジュール３２の構造を示すブロック図２である。
【図６】本発明の実施例に係るネットワーク制御ユニットの構造を示すブロック図である。
【図７】本発明の実施例に係る干渉処理装置二の構造を示すブロック図である。
【図８】本発明の実施例に係る干渉処理装置二における受信モジュール７２の構造を示すブロック図１である。
【図９】本発明の実施例に係る干渉処理装置二における受信モジュール７２の構造を示すブロック図２である。
【図１０】本発明の実施例に係る干渉処理装置二における受信モジュール７２の構造を示すブロック図３である。
【図１１】本発明の実施例に係る端末の構造を示すブロック図である。
【図１２】本発明の好適な実施例に係る無線通信システムの干渉を示す図である。
【図１３】本発明の好適な実施例に係る干渉除去配置を示すフローチャートである。
【図１４】本発明の好適な実施例に係るネットワークアシスト型干渉除去のシグナル設計を示す図である。
【図１５】本発明の好適な実施例に係る干渉セルの各リソース割り当てユニットでの下り伝送パラメータ配置方式１を示す図である。
【図１６】本発明の好適な実施例に係る干渉セルの各リソース割り当てユニットでの下り伝送配置方式１の処理を示すフローチャートである。
【図１７】本発明の好適な実施例に係る干渉セルの各リソース割り当てユニットでの下り伝送パラメータ配置方式２を示す図である。
【図１８】本発明の好適な実施例に係る干渉セルの各リソース割り当てユニットでの下り伝送パラメータ配置方式２の処理を示すフローチャートである。
【発明を実施するための形態】
【００３８】
以下、図面を参照しつつ実施例を結合して本発明を詳しく説明する。尚、矛盾しない限り、本願の実施例及び実施例中の特徴を組み合わせすることができる。
【００３９】
本実施例において干渉処理方法を提供し、図１は本発明の実施例に係る干渉処理方法１を示すフローチャートで、図１に示すように、まず、第１端末はターゲット端末で、第１アクセスノードが属するセルは第１端末のサービングセルであって、第２端末は第１端末の干渉端末で、第２アクセスノードは第１端末の干渉セルであって、即ち、第２アクセスノードが属するセルに第１端末の干渉端末が存在する。特に、ターゲット端末が、第１端末が属するセルにペアユーザを有する時、ペアユーザがターゲット端末に干渉を与える可能性があって、このような場合、干渉端末が、第１ノードが位置するセルに存在する可能性もある。一つの特定第１端末の場合、その第２ノードは一つ又は複数存在する可能性があって、その第２端末も一つ又は複数存在する可能性があるので、本願における第２端末はターゲット端末の干渉端末の総称であって、第２ノードもターゲット端末の干渉ノードの総称である。該プロセスは以下のステップＳ１０２を含む。
【００４０】
Ｓ１０２において、第２アクセスノード及び／又は第１アクセスノードの第２端末の下り伝送パラメータ指示情報を、物理下り共有チャネルＰＤＳＣＨを介して、第１端末へ送信し、ここで、該第１端末は受信した下り伝送パラメータ指示情報に基づいて干渉除去処理を行い、該下り伝送パラメータ指示情報はさまざまであって、例えば、第２端末が存在するか否かを指示する指示情報、第２端末の伝送モード情報、第２端末の下り伝送パラメータ配置情報の中の少なくとも一つを含むことができる。
【００４１】
上記ステップによって、ネットワーク側の場合、第１端末が属するセルの干渉端末及び干渉隣接セルの下りパラメータ指示情報を、下り物理共有チャネルを介して、該第１端末へ送信することで、既存技術のセル間のＸ２インターフェースを介して干渉除去のパラメータ情報を送信するに比べ、既存技術において高級受信機にとって必要とされる第１端末の干渉除去情報を取得する時、シグナルのオーバーヘッドが大きく、遅延が大きい問題を解決し、シグナルのオーバーヘッドを低減し、システム性能を向上させる効果を実現できる。
【００４２】
該下り伝送パラメータ指示情報はそれぞれ、各自独立したリソース割り当てユニットに載せられることができ、例えば、第２端末が存在するか否かを指示する指示情報が現在のリソース割り当てユニットに第２端末が存在しないことを表す時、リソース割り当てユニットに対応する下り伝送パラメータ指示情報には、第２端末の伝送モード情報及び／又は下り伝送パラメータ配置情報を含まなく、また、例えば、第２端末が存在するか否かを指示する指示情報が現在のリソース割り当てユニットに第２端末が存在することを表す時、リソース割り当てユニットに対応する下り伝送パラメータ指示情報には、第２端末の伝送モード情報及び／又は下り伝送パラメータ配置情報を含むことができる。
【００４３】
ここで、該下り伝送パラメータ配置情報は、第２端末の伝送モード情報に基づいて、以下の中の少なくとも一つを含むと確定する。伝送モード指示情報が伝送モードＴＭ１又は伝送モードＴＭ２を指示する時、下り伝送パラメータ配置情報は変調符号化方式ＭＣＳ情報、ＰＤＳＣＨ開始位置情報、共通参照信号ＣＲＳの各リソースユニットエネルギーＥＰＲＥ情報の中の少なくとも一つを含む。伝送モード指示情報が伝送モードＴＭ３を指示する時、下り伝送パラメータ配置情報はＭＣＳ情報、ノンゼロパワーチャネル状態情報参照信号（Ｎｏｎ−Ｚｅｒｏ  Ｐｏｗｅｒ  Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＮＺＰ  ＣＳＩ−ＲＳと略称）配置、ゼロパワーチャネル状態情報参照信号（Ｚｅｒｏ  Ｐｏｗｅｒ  Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＺＰ  ＣＳＩ−ＲＳと略称）配置、現在のリソース割り当てユニットのリソースインテックス情報、ＰＤＳＣＨ開始位置情報、ＣＲＳのＥＰＲＥ情報の中の少なくとも一つを含む。伝送モード指示情報が伝送モードＴＭ４又は伝送モードＴＭ６を指示する時、下り伝送パラメータ配置情報は、ランク指示ＲＩ情報、プリコーディング行列指示ＰＭＩ情報、ＰＤＳＣＨ開始位置情報、ＭＣＳ情報、ＣＲＳのＥＰＲＥ情報の中の少なくとも一つを含む。伝送モード指示情報が伝送モードＴＭ５を指示する時、下り伝送パラメータ配置情報は、多重化端末数指示情報、ＲＩ指示情報、第１のＰＭＩ指示情報、第２のＰＭＩ指示情報、ＰＤＳＣＨ開始位置情報、ＭＣＳ情報、ＣＲＳのＥＰＲＥ情報の中の少なくとも一つを含む。伝送モード指示情報が伝送モードＴＭ７を指示する時、下り伝送パラメータ配置情報は、ＰＤＳＣＨ開始位置情報、ＭＣＳ情報、現在のリソース割り当てユニットの第２端末識別子ＩＤ情報、非マルチキャスト・ブロードキャスト・シングル周波数ネットワークＭＢＳＦＮサブフレーム中のＣＲＳのＥＰＲＥ情報の中の少なくとも一つを含む。伝送モード指示情報が伝送モードＴＭ８／ＴＭ９／ＴＭ１０を指示する時、下り伝送パラメータ配置情報は、復調化参照信号ＤＭＲＳポート数及びポート指示情報、ＰＤＳＣＨ開始位置情報、ＭＣＳ情報、ＤＭＲＳ初期化パラメータ情報、非ＭＢＳＦＮサブフレーム中のＣＲＳのＥＰＲＥ情報の中の少なくとも一つを含む。
【００４４】
第２アクセスノード及び／又は第１アクセスノードの第２端末の下り伝送パラメータ指示情報を、ＰＤＳＣＨを介して第１端末へ送信する時、さまざまな方式で該下り伝送パラメータ指示情報を載せることができ、例えば、第２アクセスノード及び／又は第１アクセスノードの第２端末の下り伝送パラメータ指示情報をＰＤＳＣＨ中の無線リソース制御ＲＲＣシグナル及び／又は媒体アクセス制御ＭＡＣメッセージに載せる方式で、下り伝送パラメータ指示情報を第１端末に送信することができる。
【００４５】
第２アクセスノード及び／又は第１アクセスノードの第２端末の下り伝送パラメータ指示情報を、ＰＤＳＣＨを介して第１端末へ送信する時、用いられる送信方式もさまざまであって、例えば、第２アクセスノードがＰＤＳＣＨを介して伝送することができ、即ち、第２アクセスノードが第２アクセスノードのＰＤＳＣＨを介して、下り伝送パラメータ指示情報を第１端末へ送信し、ここで、第２アクセスノードは、第２アクセスノード下り制御チャネル領域の公共捜索空間又は所定の端末専用捜索空間を介して、第２アクセスノードのＰＤＳＣＨをスケジューリングするための第１制御シグナルを送信し、第２アクセスノードは、該第１端末の干渉ノードである。また、例えば、第１アクセスノードがＰＤＳＣＨを介して伝送することもでき、即ち、第１アクセスノードが第１アクセスノードのＰＤＳＣＨを介して下り伝送パラメータ指示情報を第１端末へ伝送し、ここで、第１アクセスノードは、第１アクセスノード下り制御チャネル領域の公共捜索空間又は所定の端末専用捜索空間を介して、第１アクセスノードのＰＤＳＣＨをスケジューリングするための第２制御シグナルを送信し、第１アクセスノードは、第１端末のサービングノードである。
【００４６】
第２アクセスノードが第２アクセスノードのＰＤＳＣＨを介して下り伝送パラメータ指示情報を第１端末へ伝送する時、第１端末が該ＰＤＳＣＨで下り伝送パラメータ指示情報を伝送する成功率を向上させるため、第１アクセスノードは、第２アクセスノードのＰＤＳＣＨが位置する時間周波数リソース位置に対応する本セルの時間周波数リソース位置にて、いずれのデータも送信しなく、及び／又は、第１アクセスノードが第１アクセスノードのＰＤＳＣＨを介して下り伝送パラメータ指示情報を第１端末へ伝送する時、同時に複数の第２アクセスノードが存在する時の第２アクセスノードを区分するため、第１アクセスノードが下り伝送パラメータ指示情報に対応するセル識別子指示情報を追加することが好ましい。
【００４７】
干渉除去の実行を表すスクランブルを用いて、第１制御シグナル又は第２制御シグナルを伝送する制御チャネルの巡回冗長検査コードＣＲＣについてスクランブリングを行うことができ、及び／又は、干渉除去の実行を表すスクランブルを用いて、第１アクセスノード又は第２アクセスノードのＰＤＳＣＨについてスクランブリングを行うことができる。尚、干渉除去の実行を表すスクランブルは、端末特定の（ＵＥ−ｓｐｅｃｉｆｉｃ）又は１グループの端末特定の（ｇｒｏｕｐ−ｓｐｅｃｉｆｉｃ）ものである。上記ＰＤＳＣＨは、干渉除去の実行を表すスクランブルによりＣＲＣをスクランブリングした下り許可制御シグナルによってスケジューリングされたＰＤＳＣＨである。既存のＰＤＳＣＨに比べ、該ＰＤＳＣＨをスケジューリングする下り許可制御シグナルは、特定のスクランブルによりスクランブリングされ、例えば、該スクランブルは、ネットワークアシスト型干渉除去／抑制の無線ネットワーク一時的識別子（Ｎｅｔｗｏｒｋ  Ａｓｓｉｓｔｅｄ  Ｉｎｔｅｒｆｅｒｅｎｃｅ  Ｃａｎｃｅｌｌａｔｉｏｎ／Ｓｕｐｐｒｅｓｓｉｏｎ―Ｒａｄｉｏ  Ｎｅｔｗｏｒｋ  Ｔｅｍｐｏｒａｒｙ  Ｉｄｅｎｔｉｔｙ、ＮＡＩＣＳ−ＲＮＴＩと略称）用、又は干渉除去／抑制の無線ネットワーク一時的識別子（Ｉｎｔｅｒｆｅｒｅｎｃｅ  Ｃａｎｃｅｌｌａｔｉｏｎ／Ｓｕｐｐｒｅｓｓｉｏｎ−Ｒａｄｉｏ  Ｎｅｔｗｏｒｋ  Ｔｅｍｐｏｒａｒｙ  Ｉｄｅｎｔｉｔｙ、ＩＣＳ−ＲＮＴＩと略称）用、又は連続干渉除去の無線ネットワーク一時的識別子（Ｓｕｃｃｅｓｓｉｖｅ  Ｉｎｔｅｒｆｅｒｅｎｃｅ  Ｃａｎｃｅｌｌａｔｉｏｎ―Ｒａｄｉｏ  Ｎｅｔｗｏｒｋ  Ｔｅｍｐｏｒａｒｙ  Ｉｄｅｎｔｉｒｙ、ＳＩＣ−ＲＮＴＩと略称）の中の少なくとも一つと記述されることができる。
【００４８】
上記下り伝送パラメータ指示情報はさらに下記の少なくとも一つ：第２アクセスノードのセル識別子指示情報、下記の干渉源に対応するＣＲＳパラメータ情報の少なくとも一つ、アンテナインターフェース数量情報、サイクリックプレフィックス（Ｃｙｃｌｉｃ  Ｐｒｅｆｉｘ、ＣＰと略称）タイプ情報、サブフレーム番号差異情報、ＭＢＳＦＮサブフレーム配置情報、上り／下りサブフレーム配置情報、特別サブフレーム配置情報、を含むことができる。
【００４９】
本実施例において、さらに干渉処理方法を提供し、図２は本発明の実施例に係る干渉処理方法２を示すフローチャートで、図２に示すように、該プロセスは以下のステップＳ２０２、Ｓ２０４を含む：
ステップＳ２０２において、ネットワーク側が物理下り共有チャネルＰＤＳＣＨを介して伝送した第２アクセスノード及び／又は第１アクセスノードの第２端末の下り伝送パラメータ指示情報を受信し、ここで、該下り伝送パラメータ指示情報はさざまざであることができ、例えば、第２端末が存在するか否かを指示する指示情報、第２端末の伝送モード情報、第２端末の下り伝送パラメータ配置情報の中の少なくとも一つを含むことができる。
【００５０】
ステップＳ２０４において、受信した下り伝送パラメータ指示情報に基づいて、第２アクセスノード及び／又は第１アクセスノードの第２端末に干渉除去処理を行う。
【００５１】
上記ステップによって、上記第１端末側の場合、第１端末が下り物理共有チャネルを介して第１端末が属するセルの干渉端末及び干渉隣接セル中の干渉端末の下り伝送パラメータ指示情報を受信し、既存技術においてセル間のＸ２インターフェースを介して干渉除去のパラメータ情報を送信する場合に比べ、既存技術において高級受信機にとって必要とされる第１端末の干渉除去情報を取得する時、シグナルのオーバーヘッドが大きく、遅延が大きい問題を解決すると共に、シグナルのオーバーヘッドを低減し、システム性能を向上させる効果を実現できる。
【００５２】
ここで、下り伝送パラメータ指示情報はそれぞれ、各自独立したリソース割り当てユニットに載せられることができ、第２端末が存在するか否かを指示する指示情報が現在のリソース割り当てユニットに第２端末が存在しないことを表す時、リソース割り当てユニットに対応する下り伝送パラメータ指示情報には、第２端末の伝送モード情報及び／又は下り伝送パラメータ配置情報を含まなく、第２端末が存在するか否かを指示する指示情報が現在のリソース割り当てユニットに第２端末が存在することを表す時、リソース割り当てユニットに対応する下り伝送パラメータ指示情報には、第２端末の伝送モード情報及び／又は下り伝送パラメータ配置情報が含まれる。
【００５３】
そして、下り伝送パラメータ配置情報は、第２端末の伝送モード情報に基づいて、以下の中の少なくとも一つを含むと確定する。伝送モード指示情報が伝送モードＴＭ１又は伝送モードＴＭ２を指示する時、下り伝送パラメータ配置情報は、変調符号化方式ＭＣＳ情報、ＰＤＳＣＨ開始位置情報、共通参照信号ＣＲＳの各リソースユニットエネルギーＥＰＲＥ情報の中の少なくとも一つを含む。伝送モード指示情報が伝送モードＴＭ３を指示する時、下り伝送パラメータ配置情報は、ＭＣＳ情報、ＮＺＰ  ＣＳＩ／ＲＳ配置、ＺＰ  ＣＳＩ−ＲＳ配置、現在のリソース割り当てユニットのリソースインテックス情報、ＰＤＳＣＨ開始位置情報、ＣＲＳのＥＰＲＥ情報の中の少なくとも一つを含む。伝送モード指示情報が伝送モードＴＭ４又は伝送モードＴＭ６を指示する時、下り伝送パラメータ配置情報は、ランク指示ＲＩ情報、プリコーディング行列指示ＰＭＩ情報、ＰＤＳＣＨ  開始位置情報、ＭＣＳ情報、ＣＲＳのＥＰＲＥ情報の中の少なくとも一つを含む。伝送モード指示情報が伝送モードＴＭ５を指示する時、下り伝送パラメータ配置情報は、多重化ユーザ数指示情報、ＲＩ指示情報、第１ＰＭＩ指示情報、第２ＰＭＩ指示情報、ＰＤＳＣＨ  開始位置情報、ＭＣＳ情報、ＣＲＳのＥＰＲＥ情報の中の少なくとも一つを含む。伝送モード指示情報が伝送モードＴＭ７を指示する時、下り伝送パラメータ配置情報は、ＰＤＳＣＨ開始位置情報、ＭＣＳ情報、現在のリソース割り当てユニットの第２端末識別子ＩＤ情報、非マルチキャスト・ブロードキャスト・シングル周波数ネットワークＭＢＳＦＮサブフレーム中のＣＲＳのＥＰＲＥ情報の中の少なくとも一つを含む。伝送モード指示情報が伝送モードＴＭ８／ＴＭ９／ＴＭ１０を指示する時、下り伝送パラメータ配置情報は、復調化参照信号ＤＭＲＳポート数及びポート指示情報、ＰＤＳＣＨ開始位置情報、ＭＣＳ情報、ＤＭＲＳ初期化パラメータ情報、非ＭＢＳＦＮサブフレーム中のＣＲＳのＥＰＲＥ情報の中の少なくとも一つを含む。
【００５４】
ネットワーク側の処理に対応して、ネットワーク側がＰＤＳＣＨを介して伝送した第２アクセスノード及び／又は第１アクセスノードの第２端末の下り伝送パラメータ指示情報を受信する方式もさまざまであって、例えば、第２アクセスノード及び／又は第１アクセスノードの第２端末の下り伝送パラメータ指示情報をＰＤＳＣＨ中の無線リソース制御ＲＲＣシグナル及び／又は媒体アクセス制御ＭＡＣメッセージに載せる方式で、ネットワーク側が伝送した下り伝送パラメータ指示情報を受信することができる。
【００５５】
そして、ネットワーク側がＰＤＳＣＨを介して伝送した第２アクセスノード及び／又は第１アクセスノードの第２端末の下り伝送パラメータ指示情報をさまざまな方式で処理することができ、例えば、第２アクセスノードのＰＤＳＣＨを介して受信することができ、即ち、第２アクセスノードのＰＤＳＣＨを介してネットワーク側が伝送した下り伝送パラメータ指示情報を受信することができ、ここで、第２アクセスノードの下り制御チャネル領域の公共捜索空間又は所定の端末専用捜索空間を介して、第２アクセスノードが伝送した第２アクセスノードのＰＤＳＣＨをスケジューリングするための第１制御シグナルを受信することができる。また、例えば、第１アクセスノードのＰＤＳＣＨを介して受信することもでき、即ち、第１アクセスノードのＰＤＳＣＨを介して、ネットワーク側が伝送した下り伝送パラメータ指示情報を受信することもでき、ここで、第１アクセスノードの下り制御チャネル領域の公共捜索空間又は所定の端末専用捜索空間を介して、第１アクセスノードが伝送した第１アクセスノードのＰＤＳＣＨをスケジューリングするための第２制御シグナルを受信する。
【００５６】
同様に、干渉除去の実行を表すスクランブルを用いて、第１制御シグナル又は第２制御シグナルを伝送するための制御チャネルの巡回冗長検査コードＣＲＣについてスクランブリングを行い、及び／又は、干渉除去の実行を表すスクランブルを用いて、第１アクセスノード又は第２アクセスノードのＰＤＳＣＨについてスクランブリングを行う。
【００５７】
同様に、ネットワーク側がＰＤＳＣＨを介して伝送した第２アクセスノード及び／又は第１アクセスノードの第２端末の下り伝送パラメータ指示情報をさまざまな方式で受信することができ、以下の処理方式を利用することが好ましい：セル識別子情報に基づく方式で処理することができ、即ち、まず第２アクセスノード及び／又は第１アクセスノードの第２端末のセル識別子指示情報を取得し、セル識別子指示情報により指示されたセルの制御領域にて、下り伝送パラメータ指示情報を伝送するＰＤＳＣＨをスケジューリングするための下り許可制御シグナルを受信し、下り許可制御シグナルによりスケジューリングされたＰＤＳＣＨにて、下り伝送パラメータ指示情報を受信する。尚、該下り伝送パラメータ指示情報は、第２アクセスノードのセル識別子指示情報をさらに含むことができ、干渉源に対応するＣＲＳパラメータ情報は、アンテナインターフェース数量情報、ＣＰタイプ情報、サブフレーム番号差異情報、ＭＢＳＦＮサブフレーム配置情報、上り／下りサブフレーム配置情報、特別サブフレーム配置情報の中の少なくとも一つを含むことができる。
【００５８】
本実施例において、上記実施例及び好適な実施形態を実現するための干渉処理装置を提供し、既に説明した部分の説明は省略する。以下で使用する用語「モジュール」は、所定の機能を実現できるソフトウェア及び／又はハードウェアの組み合わせである。以下の実施例で説明する装置をソフトウェアで実現することが好適であるが、ハードウェア又はソフトウェアとハードウェアの組み合わせによって実現することも可能である。
【００５９】
図３は本発明の実施例に係る干渉処理装置一の構造を示すブロック図で、図３に示すように、該干渉処理装置一３０は、送信モジュール３２を含み、以下、該装置を説明する。
【００６０】
送信モジュール３２は、第２アクセスノード及び／又は第１アクセスノードの第２端末の下り伝送パラメータ指示情報を、物理下り共有チャネルＰＤＳＣＨを介して、第１端末へ送信するように構成され、ここで、該第１端末は受信した下り伝送パラメータ指示情報に基づいて干渉除去処理を行う。
【００６１】
図４は本発明の実施例に係る干渉処理装置一における送信モジュール３２の構造を示すブロック図１で、図４に示すように、該送信モジュール３２は第１送信ユニット４２を含み、以下、該第１送信ユニット４２を説明する。
【００６２】
第１送信ユニット４２は、第２アクセスノード及び／又は第１アクセスノードの第２端末の下り伝送パラメータ指示情報をＰＤＳＣＨ中の無線リソース制御ＲＲＣシグナル及び／又は媒体アクセス制御ＭＡＣメッセージに載せる方式で、下り伝送パラメータ指示情報を第１端末に送信するように構成される。
【００６３】
図５は本発明の実施例に係る干渉処理装置一における送信モジュール３２の構造を示すブロック図２で、図５に示すように、該送信モジュール３２は第２送信ユニット５２及び／又は第３送信ユニット５４を含み、以下、該送信モジュール３４を説明する。
【００６４】
第２送信ユニット５２は、第２アクセスノードが第２アクセスノードのＰＤＳＣＨを介して、下り伝送パラメータ指示情報を第１端末へ伝送するように構成され、ここで、第２アクセスノードは、第２アクセスノード下り制御チャネル領域の公共捜索空間又は所定の端末専用捜索空間を介して、第２アクセスノードのＰＤＳＣＨをスケジューリングするための第１制御シグナルを送信し、また、第３送信ユニット５４は、第１アクセスノードが第１アクセスノードのＰＤＳＣＨを介して下り伝送パラメータ指示情報を第１端末へ伝送するように構成され、ここで、第１アクセスノードは、第１アクセスノード下り制御チャネル領域の公共捜索空間又は所定の端末専用捜索空間を介して第１アクセスノードのＰＤＳＣＨをスケジューリングするための第１制御シグナルを送信する。
【００６５】
本実施例において、さらに、ネットワーク制御ユニットを提供し、図６は本発明の実施例に係るネットワーク制御ユニットの構造を示すブロック図で、図６に示すように、該ネットワーク制御ユニット６０は、上述したいずれかの干渉処理装置一３０を含む。
【００６６】
図７は本発明の実施例に係る干渉処理装置二の構造を示すブロック図で、図７に示すように、該装置は受信モジュール７２と処理モジュール７４とを含み、以下該装置を説明する。
【００６７】
受信モジュール７２は、ネットワーク側が物理下り共有チャネルＰＤＳＣＨを介して伝送した第２アクセスノード及び／又は第１アクセスノードの第２端末の下り伝送パラメータ指示情報を受信するように構成され、処理モジュール７４は、上記受信モジュール７２に接続されて、受信した下り伝送パラメータ指示情報に基づいて、第２アクセスノード及び／又は第１アクセスノードの第２端末に干渉除去処理を行うように構成される。
【００６８】
図８は本発明の実施例に係る干渉処理装置二における受信モジュール７２の構造を示すブロック図１で、図８に示すように、該受信モジュール７２は第１受信ユニット８２を含み、以下、該第１受信ユニット８２を説明する。
【００６９】
第１受信ユニット８２は、第２アクセスノード及び／又は第１アクセスノードの第２端末の下り伝送パラメータ指示情報をＰＤＳＣＨ中の無線リソース制御ＲＲＣシグナル及び／又は媒体アクセス制御ＭＡＣメッセージに載せる方式で、ネットワーク側が伝送した下り伝送パラメータ指示情報を受信するように構成される。
【００７０】
図９は本発明の実施例に係る干渉処理装置二における受信モジュール７２の構造を示すブロック図２で、図９に示すように、該受信モジュール７２は第２受信ユニット９２及び／又は第３受信ユニット９４を含み、以下、該受信モジュール７２を説明する。
【００７１】
第２受信ユニット９２は、第２アクセスノードのＰＤＳＣＨを介してネットワーク側が伝送した下り伝送パラメータ指示情報を受信するように構成され、ここで、第２アクセスノードの下り制御チャネル領域の公共捜索空間又は所定の端末専用捜索空間を介して第２アクセスノードが伝送した第２アクセスノードのＰＤＳＣＨをスケジューリングするための第１制御シグナルを受信し、及び／又は、第３受信ユニット９４は、第１アクセスノードのＰＤＳＣＨを介してネットワーク側が伝送した下り伝送パラメータ指示情報を受信するように構成され、ここで、第１アクセスノードの下り制御チャネル領域の公共捜索空間又は所定の端末専用捜索空間を介して第１アクセスノードが伝送した第１アクセスノードのＰＤＳＣＨをスケジューリングするための第２制御シグナルを受信する。
【００７２】
図１０は本発明の実施例に係る干渉処理装置二における受信モジュール７２の構造を示すブロック図３で、図１０に示すように、該受信モジュール７２は、取得ユニット１０２と、第４受信ユニット１０４と、第５受信ユニット１０６とを含み、以下、該受信モジュール７２を説明する。
【００７３】
取得ユニット１０２は、第２アクセスノード及び／又は第１アクセスノードの第２端末のセル識別子指示情報を取得するように構成され、第４受信ユニット１０４は、上記取得ユニット１０２に接続されて、セル識別子指示情報により指示されたセルの制御領域にて下り伝送パラメータ指示情報を伝送するＰＤＳＣＨをスケジューリングするための下り許可制御シグナルを受信するように構成され、第５受信ユニット１０６は、上記第４受信ユニット１０４に接続されて、下り許可制御シグナルによりスケジューリングされたＰＤＳＣＨにて下り伝送パラメータ指示情報を受信するように構成される。
【００７４】
図１１は本発明の実施例に係る端末の構造を示すブロック図で、図１１に示すように、該端末１１０は上述したいずれかの干渉処理装置二１１２を含む。
【００７５】
高級受信機にとって必要とされる初期化パラメータ及び動的パラメータ等の情報を即時且つ有効にターゲットＵＥへ伝送するため、本実施例においてネットワークアシスト型干渉除去のシグナル配置方案を提供し、ネットワーク側が物理下り共有チャネルを介して第２アクセスノード又は第１アクセスノードの第２端末の下り伝送パラメータ指示情報を端末へ通知することを含み、ここで、該下り伝送パラメータ指示情報は、第２端末が存在するか否かを指示する指示情報、第２端末の伝送モード情報、第２端末の下り伝送パラメータ配置情報の中の少なくとも一つを含む。該方法によって、即時且つ有効に高級受信機にとって必要とされる干渉除去又は抑制情報をターゲットＵＥへ伝送することができ、且つ、シグナルのオーバーヘッドが小さく、遅延が小さい。ここで、該下り伝送パラメータ指示情報は、各リソース割り当てユニットにそれぞれ配置することができる。
【００７６】
該第２アクセスノード又は第１アクセスノードの第２端末の下り伝送パラメータ指示情報を、無線リソース制御（Ｒｅｓｏｕｒｃｅ  Ｒａｄｉｏ  Ｃｏｎｔｒｏｌ、ＲＲＣと略称）シグナル又は媒体アクセス制御（Ｍｅｄｉｕｍ  Ａｃｃｅｓｓ  Ｃｏｎｔｒｏｌ、ＭＡＣと略称）メッセージを介して端末へ通知することが好ましい。
【００７７】
ネットワークアシスト型干渉除去のシグナルを以下の方式で設計することができ、各リソース割り当てユニットでのシグナルの場合、例えば、「第２端末が存在するか否かを指示する指示情報」の異なる値で異なるパラメータを通知することができる。ここで、各リソース割り当てユニットでのシグナルの場合、「第２端末が存在するか否かを指示する指示情報」の異なる値に対し、以下の処理を含む：第２端末の伝送モード情報及び／又は下り伝送パラメータ配置情報が存在するか否かが「第２端末が存在するか否かを指示する指示情報」の値に依存し、例えば「第２端末が存在するか否かを指示する指示情報」の値が現在のリソース割り当てユニットに第２端末が存在しないことを表す時、該リソース割り当てユニットに対応する下りパラメータ指示シグナルには、「伝送モード情報」及び／又は「下り伝送パラメータ配置情報」を指示するためのシグナルが含まれない。「第２端末が存在するか否かを指示する指示情報」の値が現在のリソース割り当てユニットに第２端末が存在することを表す時、該リソース割り当てユニットに対応する下りパラメータ指示シグナルには、「伝送モード情報」及び／又は「下り伝送パラメータ配置情報」を指示するためのシグナルが含まれる。
【００７８】
そして、該下り伝送パラメータ配置情報に含まれる情報の内容は「伝送モード情報」の値に基づいて決められる。以下例を挙げて説明する：伝送モード情報により指示されたモードがＴＭ１又はＴＭ２である時、下り伝送パラメータ配置情報はＭＣＳ情報、ＰＤＳＣＨ開始位置情報、ＣＲＳの各リソースユニットエネルギー（Ｅｎｅｒｇｙ  Ｐｅｒ  Ｒｅｓｏｕｒｃｅ  Ｅｌｅｍｅｎｔ、ＥＰＲＥと略称）情報の中の少なくとも一つを含み、又は、該下り伝送パラメータ配置情報は現在のリソース割り当てユニットのＭＣＳ情報、ＰＤＳＣＨ開始位置情報、ＣＲＳの各リソースユニットエネルギー（Ｅｎｅｒｇｙ  Ｐｅｒ  Ｒｅｓｏｕｒｃｅ  Ｅｌｅｍｅｎｔ、ＥＰＲＥと略称）情報の中の１種又は複種類を含むことができる。
【００７９】
伝送モード情報により指示されたモードがＴＭ３である時、該下り伝送パラメータ配置情報はいずれのパラメータも含まないことができ、又は、該下り伝送パラメータ配置情報は、現在のリソース割り当てユニットのＭＣＳ情報、ＮＺＰ  ＣＳＩ−ＲＳ（Ｎｏｎ−Ｚｅｒｏ  Ｐｏｗｅｒ  Ｃｈａｎｎｅｌ  Ｓｔａｔｅ  Ｉｎｆｏｒｍａｔｉｏｎ―Ｒｅｆｅｒｅｎｃｅ  Ｓｉｇｎａｌ、ノンゼロパワーチャネル状態情報参照信号）配置、ＺＰ  ＣＳＩ−ＲＳ（Ｚｅｒｏ  Ｐｏｗｅｒ  Ｃｈａｎｎｅｌ  Ｓｔａｔｅ  Ｉｎｆｏｒｍａｔｉｏｎ―Ｒｅｆｅｒｅｎｃｅ  Ｓｉｇｎａｌ、ゼロパワーチャネル状態情報参照信号）配置、現在のリソース割り当てユニットの干渉端末に対して割り当てられたリソースインテックス情報、ＰＤＳＣＨ開始位置情報、ＣＲＳのＥＰＲＥ情報の中の１種又は複種類を含むこともできる。
【００８０】
伝送モード情報により指示されたモードがＴＭ４又はＴＭ６である時、該下り伝送パラメータ配置情報はいずれのパラメータも含まないことができ、又は、該下り伝送パラメータ配置情報が、現在のリソース割り当てユニットのランク指示（Ｒａｎｋ  Ｉｎｄｉｃａｔｉｏｎ、ＲＩと略称）指示情報、プリコーディング行列指示（Ｐｒｅ−ｃｏｄｉｎｇ  Ｍａｔｒｉｘ  Ｉｎｄｉｃａｔｉｏｎ、ＰＭＩと略称）指示情報、ＰＤＳＣＨ開始位置情報、ＭＣＳ情報、ＣＲＳのＥＰＲＥ情報の中の１種又は複種類を含むこともできる。
【００８１】
伝送モード情報により指示されたモードがＴＭ５である時、該下り伝送パラメータ配置情報はいずれのパラメータも含まないことができ、又は、該下り伝送パラメータ配置情報が、現在のリソース割り当てユニットの多重化端末数指示情報（又はＲＩ指示情報）、第１のＰＭＩ指示情報、第２のＰＭＩ指示情報、ＰＤＳＣＨ開始位置情報、ＭＣＳ情報、ＣＲＳのＥＰＲＥ情報の中の１種又は複種類を含むこともできる。ここで、多重化端末数指示情報（又はＲＩ指示情報）が１である時、第２のＰＭＩ指示情報は無効である。
【００８２】
伝送モード情報により指示されたモードがＴＭ７であう時、該下り伝送パラメータ配置情報はいずれのパラメータも含まないことができ、又は、該下り伝送パラメータ配置情報が現在のリソース割り当てユニットのＰＤＳＣＨ開始位置情報、ＭＣＳ情報、現在のリソース割り当てユニットの第２端末ＩＤ情報、非マルチキャスト・ブロードキャスト・シングル周波数ネットワーク（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ、ＭＢＳＦＮと略称）サブフレーム中のＣＲＳのＥＰＲＥ情報の中の１種又は複種類を含むこともできる。
【００８３】
伝送モード情報により指示されたモードがＴＭ８／９／１０である時、該下り伝送パラメータ配置情報はいずれのパラメータも含まないことができ、又は、該下り伝送パラメータ配置情報が現在のリソース割り当てユニットのＤＭＲＳポート数及びポート指示情報、ＰＤＳＣＨ開始位置情報、ＭＣＳ情報、ＤＭＲＳ初期化パラメータ情報（スクランブルＩＤ情報、仮想セルＩＤ情報）、非ＭＢＳＦＮサブフレーム中のＣＲＳのＥＰＲＥ情報の中の１種又は複種類を含むこともできる。
【００８４】
尚、上記下り伝送パラメータ指示情報のシグナル設計フォーマットは、ネットワーク側と端末が予め約定したフォーマットであることができる。ネットワーク側が物理下り共有チャネルを介して第２ノード又は第１ノードの第２端末の各リソース割り当てユニットにおける下り伝送パラメータ指示情報を端末へ通知することが好ましく、例えば、第２アクセスノードがＰＤＳＣＨを介して本ノードの各リソース割り当てユニットでの下り伝送パラメータ指示情報を伝送し、第２アクセスノードの下り制御チャネル領域の公共捜索空間又は端末専用の捜索空間を介して該ＰＤＳＣＨをスケジューリングするための下り制御シグナルを送信することができる。
【００８５】
また、例えば、該ネットワーク側が物理下り共有チャネルを介して第２ノード又は第１ノードの第２端末の各リソース割り当てユニットでの下り伝送パラメータ指示情報を端末に通知する処理は以下の方式を利用することもできる：第１アクセスノードがＰＤＳＣＨを介して第２アクセスノード各リソース割り当てユニットでの下り伝送パラメータ指示情報を伝送し、第１アクセスノードの下り制御チャネル領域の公共捜索空間又は端末専用の捜索空間を介して該ＰＤＳＣＨをスケジューリングするための下り制御シグナルを送信する。ここで、該第２アクセスノードは一つ又は複数であることができる。
【００８６】
第２ノードがＰＤＳＣＨを介して干渉セルの各リソース割り当てユニットの下り伝送パラメータ指示情報を伝送する時、第１ノードは第２ノードのＰＤＳＣＨに対応する本セルの時間周波数リソースにていずれのデータも送信しない。
【００８７】
ここで、第１アクセスノードがＰＤＳＣＨを介して干渉セルの各リソース割り当てユニットでの下り伝送パラメータ指示情報を伝送する時、各干渉セルの各リソース割り当てユニットでの下り伝送パラメータ指示情報の前に対応するセルのＩＤ情報を追加する。
【００８８】
第１アクセスノードがＵＥ−ｓｐｅｃｉｆｉｃ  ＲＲＣシグナル又は媒体アクセス制御（ＭＡＣ）メッセージを介して、ターゲット端末（ｖｉｃｔｉｍ  ＵＥ）へ干渉源の以下の情報の中の１種又は複種類を通知する：第２アクセスノードのセル識別子指示情報、干渉源に対応するＣＲＳパラメータ指示情報。ここで、該ＣＲＳパラメータ指示情報は少なくともアンテナポート数量情報、ＣＰタイプ情報、サブフレーム番号差異情報、ＭＢＳＦＮサブフレーム指示情報、上り／下りサブフレーム指示情報、特別サブフレーム指示情報を含む。ここで、サブフレーム番号差異情報は、第１アクセスノードに対する第２アクセスノードのサブフレーム同期誤差情報を指す。
【００８９】
ここで、上記干渉源情報はそれぞれ、それぞれ一つ又は複数の強干渉状況に対応する１セット又は複数セットであることができる。
【００９０】
第２アクセスノードの各リソース割り当てユニットでの下り伝送パラメータ指示情報を伝送するＰＤＳＣＨの下り許可は、端末特定のスクランブルによって、下り許可制御シグナル（Ｃｙｃｌｉｃ  Ｒｅｄｕｎｄａｎｃｙ  Ｃｈｅｃｋ、ＣＲＣと略称）についてスクランブリングする。例えば、ＮＡＩＣＳ−ＲＮＴＩ、ＩＣＳ−ＲＮＴＩ、ＳＩＣ−ＲＮＴＩの中の少なくとも一つと記録することができる。
【００９１】
ネットワーク側が第１アクセスノード又は第２アクセスノードを介して第２アクセスノードの各リソース割り当てユニットでの下り伝送パラメータ指示情報を送信するトランスミットイネーブルは、中心制御ユニット又は上位層によって制御する。
【００９２】
本実施例においてさらに、ネットワークアシスト型干渉除去のシグナル配置方法を提供し、端末がＵＥ−ｓｐｅｃｉｆｉｃ  ＲＲＣシグナルを受信し、第２アクセスノードのセル識別子指示情報を確定することを含む。また、セル識別子指示情報に基づいて、ＰＤＳＣＨを介して、第２アクセスノードに対応する各リソース割り当てユニットでの下り伝送パラメータ指示情報を受信する。
【００９３】
ここで、該ＰＤＳＣＨは、特定のネットワークアシスト型除去のスクランブルによりＣＲＣにスクランブリングを行った下り許可制御シグナルがスケジューリングしたＰＤＳＣＨを表す。例えば、ＮＡＩＣＳ−ＲＮＴＩ、ＩＣＳ−ＲＮＴＩ又はＳＩＣ−ＲＮＴＩであることができる。
【００９４】
端末がセル識別子指示情報に基づいて、ＰＤＳＣＨを介して、第２アクセスノードに対応する各リソース割り当てユニットでの下り伝送パラメータ指示情報を受信する時、さまざまな方式で処理することができ、例えば、以下の処理方式を用いることができる：端末がセル識別子指示情報により指示されたセルの制御領域にて特定のＣＲＣのスクランブルに対応する下り許可制御シグナルを受信し、下り許可制御シグナルに基づいて、セル識別子指示情報により指示されたセルの業務チャネルにて、第２アクセスノードに対応する各リソース割り当てユニットでの下り伝送パラメータ指示情報を受信する。
【００９５】
また、例えば、端末は、セル識別子指示情報に基づいて、ＰＤＳＣＨを介して、第２アクセスノードに対応する各リソース割り当てユニットでの下り伝送パラメータ指示情報を受信し、また、以下の処理方式を用いることができる：端末が第１アクセスノードにて特定のＣＲＣについてスクランブリングするスクランブルに対応する下り許可制御シグナルを受信し、下り許可制御シグナルに基づいて、第１アクセスノードのＰＤＳＣＨチャネルにて、一つ又は複数の第２アクセスノードそれぞれの各リソース割り当てユニットでの下り伝送パラメータ指示情報を受信することもできる。端末が受信したＵＥ−ｓｐｅｃｉｆｉｃ  ＲＲＣシグナルにより配置された第２アクセスノードのセル識別子指示情報に基づいて、該アクセスノードに対応する各リソース割り当てユニットでの下り伝送パラメータ指示情報を抽出する。
【００９６】
以下、図面を結合して本発明の好適な実施形態を説明する。
【００９７】
本実施例において、ネットワークアシスト型干渉除去のシグナル配置方法を提供し、該方法は、ネットワーク側が物理下り共有チャネル（Ｐｈｙｓｉｃａｌ  Ｄｏｗｎｌｉｎｋ  Ｓｈａｒｅｄ  Ｃｈａｎｎｅｌ、ＰＤＳＣＨと略称）を介して、第２アクセスノード又は第１アクセスノードの第２端末下り伝送パラメータ指示情報を端末へ通知することを含み、ここで、該下り伝送パラメータ指示情報は、第２端末が存在するか否かを指示する指示情報、第２端末の伝送モード情報、第２端末の下り伝送パラメータ配置情報の中の１種又は複種類を含むがこれに限定されることはない。
【００９８】
ここで、該下り伝送パラメータ指示情報は、各リソース割り当てユニットそれぞれに対して配置される。リソース割り当てユニットは、一つの物理リソースブロック（Ｐｈｙｓｉｃａｌ  Ｒｅｓｏｕｒｃｅ  Ｂｌｏｃｋ、ＰＲＢと略称）又は一つのＰＲＢ対又は一つのサブバンドである。具体的に、該第２アクセスノード又は第１アクセスノードの第２端末下り伝送パラメータ指示情報は、無線リソース制御（Ｒａｄｉｏ  Ｒｅｓｏｕｒｃｅ  Ｃｏｎｔｒｏｌ、ＲＲＣと略称）シグナル又は媒体アクセス（Ｍｅｄｉｕｍ  Ａｃｃｅｓｓ  Ｃｏｎｔｒｏｌ、ＭＡＣと略称）メッセージを介して、端末へ通知する。尚、ＬＴＥシステムにおいて、ＲＲＣシグナル又はＭＡＣメッセージは、通常、物理層のＰＤＳＣＨチャネルに載せられる。
【００９９】
図１２は本発明の好適な実施例に係る無線通信システムの干渉を示す図で、図１２に示すように、第１アクセスノードは、端末（第１端末とも呼ばれる）のサービングセルであって、第１アクセスノードが端末へターゲット信号を送信する時、同時に、第２アクセスノード又は第１アクセスノード中の第２端末からの送信信号の干渉を受ける可能性があって、その中、第２アクセスノードも第１端末の干渉セルと呼ばれ、第１アクセスノード中の第２端末は通常、ターゲット端末（端末）のマルチ端末（Ｍｕｌｔｉｐｌｅ  Ｕｓｅｒ、ＭＵと略称）状況でのペア端末である。図１２において、簡略化するため、第１端末の一つの第２アクセスノードのみを示し、実際上、一つの特定の第１端末の第２アクセスノードは一つではない可能性もある。端末が干渉除去／抑制を行う時、一つの第２ノードを対象に干渉除去／抑制を行うことができれば、同時に複数の第２ノードを対象に干渉除去／抑制を行うこともできる。よって、ネットワーク側がＰＤＳＣＨを介して１セット又は複数セットの上記下り伝送パラメータ指示情報を送信する時、それぞれ一つ又は複数の第２ノードである場合に対応する。
【０１００】
図１３は本発明の好適な実施例に係る干渉除去配置を示すフローチャートで、図１３に示すように、該プロセスは以下のステップＳ１３０２を含む：
ステップＳ１３０２において、ネットワーク側がＰＤＳＣＨを介して、下り伝送パラメータ指示情報を伝送し、また、特定のＲＮＴＩを用いて下り許可制御シグナルのＣＲＣについてスクランブリングを行い、例えば、特定ＲＮＴＩをＮＡＩＣＳ−ＲＮＴＩ、ＩＣＳ−ＲＮＴＩ又はＳＩＣ−ＲＮＴＩであることができる。ここで、下り伝送パラメータ指示情報は各リソース割り当てユニットそれぞれに配置される。該下り伝送パラメータ指示情報は、第２端末が存在するか否かを指示する指示情報、第２端末の伝送モード情報、第２端末の下り伝送パラメータ配置情報の中の１種又は複種類を含むがこれらに限定されることはない。ネットワーク側と端末は予め約定したシグナルフォーマットでＰＤＳＣＨを介してパラメータ指示情報を伝送する。図１４は本発明の好適な実施例に係るネットワークアシスト型干渉除去のシグナル設計を示す図で、図１４に示すように、該シグナル設計方式で、第２端末の伝送モード及び／又は下り伝送パラメータ配置情報が存在するか否かは「第２端末が存在するか否かを指示する指示情報」の値に基づいて決められ、「第２端末が存在するか否かを指示する指示情報」の値が現在のリソース割り当てユニットに第２端末が存在しないことを表す時、該リソース割り当てユニットに対応する下りパラメータ指示シグナルには、「伝送モード情報」及び／又は「下り伝送パラメータ配置情報」を指示するシグナルが含まれない。「第２端末が存在するか否かを指示する指示情報」の値が現在のリソース割り当てユニットに第２端末が存在することを表す時、該リソース割り当てユニットに対応する下りパラメータ指示シグナルには、「伝送モード情報」及び／又は「下り伝送パラメータ配置情報」を指示するシグナルが含まれる。下り伝送パラメータ配置情報に含まれる情報の内容は「伝送モード情報」の値により決められ、例えば、以下の幾つかの方式を含むことができる：
伝送モード情報により指示されたモードがＴＭ１又はＴＭ２である時、下り伝送パラメータ配置情報はいずれのパラメータも含まないことができ、又は該下り伝送パラメータ配置情報が現在のリソース割り当てユニットのＭＣＳ情報、ＰＤＳＣＨ開始位置情報、ＣＲＳのＥＰＲＥ（Ｅｎｅｒｇｙ  Ｐｅｒ  Ｒｅｓｏｕｒｃｅ  Ｅｌｅｍｅｎｔ）情報の中の１種又は複種類を含むこともできる。
【０１０１】
伝送モード情報により指示されたモードがＴＭ３である時、該下り伝送パラメータ配置情報はいずれのパラメータも含まないことができ、又は該下り伝送パラメータ配置情報が現在のリソース割り当てユニットのＭＣＳ情報、ＮＺＰ−ＣＳＩ−ＲＳ指示情報、ＺＰ−ＣＳＩ−ＲＳ指示情報、現在のリソース割り当てユニットの干渉端末に対して割り当てられたリソースインテックス情報、ＰＤＳＣＨ開始位置情報、ＣＲＳのＥＰＲＥ情報の中の１種又は複種類を含むこともできる。
【０１０２】
伝送モード情報により指示されたモードがＴＭ４又はＴＭ６である時、該下り伝送パラメータ配置情報はいずれのパラメータも含まないことができ、又は該下り伝送パラメータ配置情報が現在のリソース割り当てユニットのＲＩ（ｒａｎｋ  ｉｎｄｉｃａｔｉｏｎ）指示情報、ＰＭＩ（ｐｒｅ−ｃｏｄｉｎｇ  ｍａｔｒｉｘ  ｉｎｄｉｃａｔｉｏｎ）指示情報、ＰＤＳＣＨ開始位置位置、ＭＣＳ情報、ＣＲＳのＥＰＲＥ情報の中の１種又は複種類を含むこともできる。
【０１０３】
伝送モード情報により指示されたモードがＴＭ５である時、該下り伝送パラメータ配置情報はいずれのパラメータも含まないことができ、又は、該下り伝送パラメータ配置情報が現在のリソース割り当てユニットの多重化端末数指示情報（又はＲＩ指示情報）、第１のＰＭＩ指示情報、第２のＰＭＩ指示情報、ＰＤＳＣＨ開始位置情報、ＭＣＳ情報、ＣＲＳのＥＰＲＥ情報の中の１種又は複種類を含むこともできる。その中、多重化端末数指示情報（又はＲＩ指示情報）が１である時、第２のＰＭＩ指示情報は無効である。
【０１０４】
伝送モード情報により指示されたモードがＴＭ７である時、該下り伝送パラメータ配置情報はいずれのパラメータも含まないことができ、又は、該下り伝送パラメータ配置情報が現在のリソース割り当てユニットのＰＤＳＣＨ  開始位置情報、ＭＣＳ情報、現在のリソース割り当てユニットの第２端末ＩＤ情報、非ＭＢＳＦＮサブフレーム中のＣＲＳのＥＰＲＥ情報の中の１種又は複種類を含むこともできる。
【０１０５】
伝送モード情報により指示されたモードがＴＭ８／９／１０である時、該下り伝送パラメータ配置情報はいずれのパラメータも含まないことができ、又は、該下り伝送パラメータ配置情報が現在のリソース割り当てユニットのＤＭＲＳポート数及びポート指示情報、ＰＤＳＣＨ開始位置情報、ＭＣＳ情報、ＤＭＲＳ初期化パラメータ情報（スクランブルＩＤ情報、仮想セルＩＤ情報）、非ＭＢＳＦＮサブフレーム中のＣＲＳのＥＰＲＥ情報の中の１種又は複種類を含むこともできる。
【０１０６】
そして、上記ネットワーク側がＰＤＳＣＨを介して第２アクセスノードの下り伝送パラメータを伝送する方法はさまざまな方式を利用することができ、例えば、以下の２種類の方式を利用することができる：
方式１：図１５は本発明の好適な実施例に係る干渉セルの各リソース割り当てユニットでの下り伝送パラメータ配置方式１を示す図で、図１５に示すように、第２アクセスノードが本ノードのＰＤＳＣＨを介して、本ノードの下り伝送パラメータ指示情報を伝送し、第２アクセスノードの公共捜索空間又は端末専用の捜索空間を介して、該ＰＤＳＣＨをスケジューリングするための下り制御シグナル（即ち、上記第１制御シグナル）を送信する。ここで、第１端末が第２アクセスノードのＰＤＳＣＨを成功に受信することを支援するため、第１アクセスノードは、第２アクセスノードのＰＤＳＣＨが位置する時間周波数位置に対応する同一の本セルの時間周波数リソース位置にていずれのデータも送信しない。以下、図１５を参照して、干渉セルの各リソース割り当てユニットでの下り伝送パラメータ配置方式１の処理プロセスを説明する。図１６は本発明の好適な実施例に係る干渉セルの各リソース割り当てユニットでの下り伝送配置方式１の処理フローチャートで、図１６に示すように、該プロセスは以下のステップＳ１６０２、Ｓ１６０４、Ｓ１６０６、Ｓ１６０８、Ｓ１６１０を含む：
ステップＳ１６０２において、第２アクセスノードが、ＰＤＳＣＨを介して、各リソース割り当てユニットでの下り伝送パラメータ指示情報を伝送し、特定のＲＮＴＩを用いて、下り許可制御シグナルのＣＲＣについてスクランブリングを行い、特定ＲＮＴＩはＳＩＣ−ＲＮＴＩ（又はＮＡＩＣＳ−ＲＮＴＩ）である。
【０１０７】
ステップＳ１６０４において、第１アクセスノードが、ＵＥ−ｓｐｅｃｉｆｉｃ  ＲＲＣシグナルを介して、ｖｉｃｔｉｍ  ＵＥ  第２アクセスノードのセル識別子情報及び／又は関連するセルパラメータ指示情報を配置する。
【０１０８】
ステップＳ１６０６において、端末が第２アクセスノードを介して、ＣＲＣをＳＩＣ−ＲＮＴＩへスクランブリングした下り許可制御シグナルを受信し、該下り許可制御シグナルに対応するＰＤＳＣＨ下りスケジューリング情報を取得する。
【０１０９】
ステップＳ１６０８において、端末が第２アクセスノードにて、ＳＩＣ−ＲＮＴＩに対応する下り許可制御シグナルに対応するＰＤＳＣＨを受信し、第２アクセスノードの各リソース割り当てユニットでの下り伝送パラメータ指示情報を取得する。
【０１１０】
ステップＳ１６１０において、端末が受信した第２アクセスノードの各リソース割り当てユニットでの下り伝送パラメータ指示情報に基づいて、干渉抑制／除去処理を行う。
【０１１１】
方式２：図１７は本発明の好適な実施例に係る干渉セルの各リソース割り当てユニットでの下り伝送パラメータ配置方式２を示す図で、図１７に示すように、第１アクセスノードが本ノードのＰＤＳＣＨを介して、一つ又は複数の第２アクセスノードそれぞれの下り伝送パラメータ指示情報を伝送し、第１アクセスノードの公共捜索空間又は端末専用の捜索空間を介して、該ＰＤＳＣＨをスケジューリングするための下り制御シグナル（即ち、上記第２制御シグナル）を送信する。以下、該干渉セルの各リソース割り当てユニットでの下り伝送パラメータ配置方式２のプロセスを説明し、図１８は本発明の好適な実施例に係る干渉セルの各リソース割り当てユニットでの下り伝送パラメータ配置方式２の処理を示すフローチャートで、図１８に示すように、該プロセスは以下のステップＳ１８０２、Ｓ１８０４、Ｓ１８０６、Ｓ１８１０、Ｓ１８１２を含む：
ステップＳ１８０２において、第１アクセスノードが、周囲の一つ又は複数の第２アクセスノードの下り伝送パラメータ指示情報を取得する。
【０１１２】
ステップＳ１８０４において、第１アクセスノードが、ＰＤＳＣＨを介して、第２アクセスノードそれぞれの、各リソース割り当てユニットでの下り伝送パラメータ指示情報を伝送し、特定のＲＮＴＩを用いて、該ＰＤＳＣＨに対応する下り許可制御シグナルのＣＲＣについてスクランブリングを行い、特定のＲＮＴＩはＳＩＣ−ＲＮＴＩ（又はＮＡＩＣＳ−ＲＮＴＩ）であることができる。
【０１１３】
ステップＳ１８０６において、第１アクセスノードは、ＵＥ−ｓｐｅｃｉｆｉｃ  ＲＲＣシグナルを介して、ｖｉｃｔｉｍ  ＵＥ  第２アクセスノードのセル識別子情報及び／又は関連するセルパラメータ指示情報を配置する。
【０１１４】
ステップＳ１８０８において、端末が、第１アクセスノードを介して、ＣＲＣをＳＩＣ−ＲＮＴＩへスクランブリングした下り許可制御シグナルを受信し、該下り許可制御シグナルに対応するＰＤＳＣＨ下りスケジューリング情報を取得する。
【０１１５】
ステップＳ１８１０において、端末が、第１アクセスノードにて、ＳＩＣ−ＲＮＴＩに対応する下り許可制御シグナルに対応するＰＤＳＣＨを受信し、ＵＥ−ｓｐｅｃｉｆｉｃシグナルにより指示された第２アクセスノードのセル識別子に基づいて、第２アクセスノードの各リソース割り当てユニットでの下り伝送パラメータ指示情報を取得する。
【０１１６】
ステップＳ１８１２においって、端末が、受信した第２アクセスノードの各リソース割り当てユニットでの下り伝送パラメータ指示情報に基づいて、干渉抑制／除去処理を行う。
【０１１７】
ここで、該下り伝送パラメータ指示情報は、各リソース割り当てユニットそれぞれに配置される。
【０１１８】
ネットワーク側が第１アクセスノードＰＤＳＣＨ又は第２アクセスノードＰＤＳＣＨを介して第２アクセスノードの各リソース割り当てユニットでの下り伝送パラメータ指示情報を送信するトランスミットイネーブルは、中心制御ユニット又は上位層によって制御する。
【０１１９】
ステップＳ１３０４において、第１アクセスノードが、ＵＥ−ｓｐｅｃｉｆｉｃ  ＲＲＣシグナルを介して、ターゲット端末の第２アクセスノードのセル識別子情報及び／又は関連するセルパラメータ指示情報を配置し、即ち、ネットワーク側が一つのターゲット端末が第２アクセスノードに干渉除去／抑制処理を行う必要があると判断した時、第１アクセスノード（サービングセル）がＵＥ−ｓｐｅｃｉｆｉｃ  ＲＲＣシグナル又はＭＡＣ（Ｍｅｄｉｕｍ  Ａｃｃｅｓｓ  Ｃｏｎｔｒｏｌ、媒体アクセス制御）メッセージを介して、ターゲット端末（ｖｉｃｔｉｍ  ＵＥ）へ第２アクセスノードのセル識別子情報及び／又は関連するセルパラメータ配置情報を通知し、ここで、該関連するセルパラメータ配置情報は、第２アクセスノードに対応するＣＲＳパラメータ配置情報（例えば、アンテナポートデータ情報）、ＣＰタイプ情報、サブフレーム番号差異情報、ＭＢＳＦＮサブフレーム配置情報、上り／下りサブフレーム配置情報、特別サブフレーム配置情報の中の１種又は複種類を含むことができる。ここで、サブフレーム番号差異情報は、第１アクセスノードに対する第２アクセスノードのサブフレーム同期誤差情報を指す。
【０１２０】
ステップＳ１３０６において、端末がＰＤＳＣＨを介して、第２アクセスノードの各リソース割り当てユニットでの下り伝送パラメータ指示情報を受信し、即ち、ターゲット端末が、上記第２アクセスノードのセル識別子情報及び／又は関連するセルパラメータ指示情報を受信し、該情報に基づいて、対応する制御領域にて上記特定のＲＮＴＩ（例えば、ＮＡＩＣＳ−ＲＮＴＩ、ＩＣＳ−ＲＮＴＩ又はＳＩＣ−ＲＮＴＩ）を用いて、該特定ＣＲＣのスクランブルに対応する下り許可制御シグナルを受信し、該下り許可制御情報に基づいて、対応するＰＤＳＣＨチャネルにて、第２アクセスノードに対応する各リソース割り当てユニットでの下り伝送パラメータ指示情報を受信する。
【０１２１】
ステップＳ１３０８において、端末が、受信した第２アクセスノードの各リソース割り当てユニットでの下り伝送パラメータ指示情報に基づいて、干渉抑制／除去処理を行う。
【０１２２】
以下、本発明の好適な実施形態の実施例を説明する。
【０１２３】
（実施例１）
第２アクセスノードが、ＰＤＳＣＨを介して、本ノードの下り伝送パラメータ指示情報を伝送し、第２アクセスノードの制御領域公共捜索空間又は端末専用の捜索空間を介して、該ＰＤＳＣＨをスケジューリングするための下り制御シグナルを送信する。
【０１２４】
ここで、該下り伝送パラメータ指示情報は、各リソース割り当てユニットそれぞれに配置される。
【０１２５】
第２アクセスノードは、各リソース割り当てユニットでの下り伝送パラメータ指示情報のＰＤＳＣＨに対応する下り許可を伝送し、特定のスクランブルを介して下り許可制御シグナルＣＲＣについてスクランブリングし、例えば、ＮＡＩＣＳ−ＲＮＴＩ又はＩＣＳ−ＲＮＴＩ又はＳＩＣ−ＲＮＴＩであることができる。
【０１２６】
第２アクセスノードの各リソース割り当てユニットでの下り伝送パラメータの配置方法として図１４に示すシグナル設計方法を用いることが好ましい。図１４において、下り伝送パラメータ配置（又は指示情報と呼ばれる）と同時に、第２端末が存在するか否かを指示する指示情報、第２端末の伝送モード情報、第２端末の下り伝送パラメータ配置情報の３種類の情報を含むとする。尚、実際の応用において、１種又は複種類のパラメータのみを含むこともできる。該方式において、各リソース割り当てユニットでの下り伝送パラメータ配置は、１＋ｘ＋ｙビットで指示する。ここで、１ビット（例えば図中の（１））は、該リソース割り当てユニットに第２端末が存在するか否かを指示し、ｘビット（例えば図中の（２））は、該リソース割り当てユニット中の第２端末の伝送モード情報を指示し、該指示領域が存在するか否かは（１）の値により決められ、ｙビット（例えば図中の（３））は該リソース割り当てユニット中の具体的な下り伝送パラメータ配置情報を指示し、該指示領域が存在するか否かは（１）の値により決められ、該指示領域が存在する時、該指示領域に含まれるパラメータは（２）の値により決められる。例えば、（１）の値が現在のリソース割り当てユニットに第２端末が存在しないことを表す時、該リソース割り当てユニットに対応する下りパラメータ指示シグナルには、「伝送モード情報」及び／又は「下り伝送パラメータ配置情報」が含まれなく、即ち、この時ｘとｙはいずれも０である。そうではなく、（１）の値が現在のリソース割り当てユニットに第２端末が存在することを表す時、該リソース割り当てユニットに対応する下りパラメータ指示シグナルには、「伝送モード情報」及び／又は「下り伝送パラメータ配置情報」が含まれ、この時、少なくともｘが０ではないか、又はｙが０ではない。
【０１２７】
後方の場合、「下り伝送パラメータ配置情報」に含まれる情報の内容は「伝送モード情報」の値により決められ、例えば：
伝送モード情報がＴＭ１又はＴＭ２を指示する時、下り伝送パラメータ配置情報中に現在のリソース割り当てユニットのＭＣＳ情報、ＰＤＳＣＨ開始位置情報の中の１種又は複種類を含む。
【０１２８】
伝送モード情報がＴＭ３を指示する時、下り伝送パラメータ配置情報は、現在のリソース割り当てユニットのＭＣＳ情報、ＮＺＰ−ＣＳＩ−ＲＳ配置、ＺＰ−ＣＳＩ−ＲＳ配置、現在のリソース割り当てユニットの干渉端末に対して割り当てられたリソースインテックス情報、ＰＤＳＣＨ開始位置情報の中の１種又は複種類を含む。
【０１２９】
伝送モード情報がＴＭ４又はＴＭ６を指示する時、下り伝送パラメータ配置情報は、現在のリソース割り当てユニットのＲＩ（Ｒａｎｋ  Ｉｎｄｉｃａｔｉｏｎ）指示情報、ＰＭＩ（ｐｒｅ−ｃｏｄｉｎｇ  ｍａｔｒｉｘ  ｉｎｄｉｃａｔｉｏｎ）指示情報、ＰＤＳＣＨ開始位置情報、ＭＣＳ情報の中の１種又は複種類を含む。
【０１３０】
伝送モード情報がＴＭ５を指示する時、下り伝送パラメータ配置情報は、現在のリソース割り当てユニットの多重化ユーザ数指示情報、ＲＩ指示情報、第１ＰＭＩ指示情報、第２ＰＭＩ指示情報、ＰＤＳＣＨ開始位置情報、ＭＣＳ情報の中の１種又は複種類を含む。その中、多重化端末数指示情報が１又はＲＩ指示情報が１である時、第２のＰＭＩ指示情報は無効である。
【０１３１】
伝送モード情報がＴＭ７を指示する時、下り伝送パラメータ配置情報は、現在のリソース割り当てユニットのＰＤＳＣＨ開始位置情報、ＭＣＳ情報、現在のリソース割り当てユニットの第２端末ＩＤ情報の中の１種又は複種類を含む。
【０１３２】
伝送モード情報がＴＭ８／９／１０を指示する時、下り伝送パラメータ配置情報は、現在のリソース割り当てユニットのＤＭＲＳポート数及びポート指示情報、ＰＤＳＣＨ開始位置情報、ＭＣＳ情報、ＤＭＲＳ初期化パラメータ情報（スクランブルＩＤ情報、仮想セルＩＤ情報）の中の１種又は複種類を含む。
【０１３３】
サービングセルは、ＵＥ−ｓｐｅｃｉｆｉｃ  ＲＲＣシグナルを介して、干渉セルのセル識別子情報及び／又は関連するセルパラメータ指示情報をターゲット端末（ｖｉｃｔｉｍ  ＵＥ）へ通知する。その中、セルパラメータ配置情報は、干渉源に対応するＣＲＳパラメータ配置情報（例えば、アンテナポート数量情報）、ＣＰタイプ情報、サブフレーム番号差異情報、ＭＢＳＦＮサブフレーム配置情報、上り／下りサブフレーム配置情報、特別サブフレーム配置情報の中の１種又は複種類を含む。その中、サブフレーム番号差異情報は、第１アクセスノードに対する第２アクセスノードのサブフレーム同期誤差情報を指す。
【０１３４】
端末が、ＵＥ−ｓｐｅｃｆｉｃシグナルを介してセル識別子情報を受信し、該セル識別子情報により指示されたセルの制御領域にて特定ＣＲＣのスクランブルに対応する下り許可制御シグナルを受信し、下り許可制御シグナルに基づいて、セル識別子指示情報により指示されたセルの業務チャネルにて、第２アクセスノードに対応する各リソース割り当てユニットでの下り伝送パラメータ指示情報を受信する。
【０１３５】
端末が受信した干渉セルの各リソース割り当てユニットでの下り伝送パラメータ指示情報に基づいて、干渉抑制／除去処理を行う。
【０１３６】
（実施例２）
第１ノードが、周囲の一つ又は複数の第２アクセスノードの下り伝送パラメータ指示情報を取得する。
【０１３７】
ネットワーク側が、第１ノードＰＤＳＣＨを介して、第２アクセスノードそれぞれの各リソース割り当てユニットでの下り伝送パラメータ指示情報を伝送し、第１ノードの制御領域の公共捜索空間又は端末専用の捜索空間を介して、ＰＤＳＣＨをスケジューリングするための下り制御シグナルを送信する。ここで、第２アクセスノードの各リソース割り当てユニットでの下り伝送パラメータ指示情報を伝送するＰＤＳＣＨに対応する下り許可は、特定のスクランブルを介して下り許可制御シグナルＣＲＣについてスクランブリングを行い、例えばＮＡＩＣＳ−ＲＮＴＩ又はＩＣＳ−ＲＮＴＩ又はＳＩＣ−ＲＮＴＩであることができる。
【０１３８】
ここで、干渉セルの各リソース割り当てユニットでの下り伝送パラメータの配置方法は、図１４に示すとおりである。図１４において、下り伝送パラメータ配置に、同時に、第２端末が存在するか否かを指示する指示情報、第２端末の伝送モード情報、第２端末の下り伝送パラメータ配置情報の３種類の情報が含まれるとする。尚、実際の応用において、１種又は複種類のパラメータのみを含むこともできる。該方式において、各リソース割り当てユニットでの下り伝送パラメータ配置（又は指示情報とも呼ばれる）は、１＋ｘ＋ｙビットで指示する。ここで、１ビット（例えば図中の（１））は、該リソース割り当てユニットに第２端末が存在するか否かを指示し、ｘビット（例えば図中の（２））は、該リソース割り当てユニット中の第２端末の伝送モード情報を指示し、該指示領域が存在するか否かは（１）の値により決められ、ｙビット（例えば図中の（３））は、該リソース割り当てユニット中の具体的な下り伝送パラメータ配置情報を指示し、該指示領域が存在するか否かは（１）の値により決められ、該指示領域が存在する時、該指示領域に含まれるパラメータは（２）の値により決められる。例えば、（１）の値が現在のリソース割り当てユニットに第２端末が存在しないことを表す時、該リソース割り当てユニットに対応する下りパラメータ指示シグナルには、「伝送モード情報」及び／又は「下り伝送パラメータ配置情報」が含まれなく、即ち、この時、ｘとｙはいずれも０であって、そうではなく、（１）の値が現在のリソース割り当てユニットに第２端末が存在することを表す時、該リソース割り当てユニットに対応する下りパラメータ指示シグナルには、「伝送モード情報」及び／又は「下り伝送パラメータ配置情報」が含まれ、この時、少なくともｘが０ではないか、又はｙが０ではない。
【０１３９】
後方の場合、「下り伝送パラメータ配置情報」に含まれる情報の内容は「伝送モード情報」の値により決められ、例えば：
伝送モード情報がＴＭ１又はＴＭ２を指示する時、下り伝送パラメータ配置情報は、現在のリソース割り当てユニットのＭＣＳ情報、ＰＤＳＣＨ開始位置情報の中の１種類又は複種類を含む。
【０１４０】
伝送モード情報がＴＭ３を指示する時、下り伝送パラメータ配置情報は、現在のリソース割り当てユニットのＭＣＳ情報、ＮＺＰ−ＣＳＩ−ＲＳ配置、ＺＰ−ＣＳＩ−ＲＳ配置、現在のリソース割り当てユニットの干渉端末に対して割り当てられたリソースインテックス情報、ＰＤＳＣＨ開始位置情報の中の１種類又は複種類を含む。
【０１４１】
伝送モード情報がＴＭ４又はＴＭ６を指示する時、下り伝送パラメータ配置情報は、現在のリソース割り当てユニットのＲＩ（Ｒａｎｋ  Ｉｎｄｉｃａｔｉｏｎ）指示情報、ＰＭＩ（ｐｒｅ−ｃｏｄｉｎｇ  ｍａｔｒｉｘ  ｉｎｄｉｃａｔｉｏｎ）指示情報、ＰＤＳＣＨ開始位置情報、ＭＣＳ情報の中の１種類又は複種類を含む。
【０１４２】
伝送モード情報がＴＭ５を指示する時、下り伝送パラメータ配置情報は、現在のリソース割り当てユニットの多重化ユーザ数指示情報、ＲＩ指示情報、第１のＰＭＩ指示情報、第２のＰＭＩ指示情報、ＰＤＳＣＨ開始位置情報、ＭＣＳ情報の中の１種類又は複種類を含む。その中、多重化端末数指示情報が１又はＲＩ指示情報が１である時、第２のＰＭＩ指示情報は無効である。
【０１４３】
伝送モード情報がＴＭ７を指示する時、下り伝送パラメータ配置情報は、現在のリソース割り当てユニットのセルＩＤ情報、ＰＤＳＣＨ開始位置情報、ＭＣＳ情報、現在のリソース割り当てユニットの第２端末ＩＤ情報の中の１種類又は複種類を含む。
【０１４４】
伝送モード情報がＴＭ８／９／１０を指示する時、下り伝送パラメータ配置情報は、現在のリソース割り当てユニットのＤＭＲＳポート数及びポート指示情報、ＰＤＳＣＨ開始位置情報、ＭＣＳ情報、ＤＭＲＳ初期化パラメータ情報（スクランブルＩＤ情報、仮想セルＩＤ情報）の中の１種類又は複種類を含む。
【０１４５】
サービングセルは、ＵＥ−ｓｐｅｃｉｆｉｃ  ＲＲＣシグナルを介して、強干渉セル又は干渉除去／抑制を行う必要のあるセルの識別子情報及び／又は関連するセルパラメータ指示情報をターゲット端末（ｖｉｃｔｉｍ  ＵＥ）へ通知する。その中、セルパラメータ配置情報は、干渉源に対応するＣＲＳパラメータ配置情報（例えばアンテナポート数量情報）、ＣＰタイプ情報、サブフレーム番号差異情報、ＭＢＳＦＮサブフレーム配置情報、上り／下りサブフレーム配置情報、特別サブフレーム配置情報の中の１種類又は複種類を含む。その中、サブフレーム番号差異情報は、第１アクセスノードに対する第２アクセスノードのサブフレーム同期誤差情報を指す。
【０１４６】
端末は、第１アクセスノードにて特定ＣＲＣのスクランブルＲＮＴＩ（例えばＮＡＩＣＳ−ＲＮＴＩ、ＩＣＳ−ＲＮＴＩ又はＳＩＣ−ＲＮＴＩ）に対応する下り許可制御シグナルを受信し、下り許可制御シグナルに基づいて、第１受信ノードのＰＤＳＣＨチャネルにて一つ又は複数の第２アクセスノードそれぞれの各リソース割り当てユニットでの下り伝送パラメータ指示情報を受信する。端末が受信したＵＥ−ｓｐｅｃｉｆｉｃ  ＲＲＣシグナルにより配置された第２アクセスノードのセル識別子指示情報に基づいて、該アクセスノードに対応する各リソース割り当てユニットでの下り伝送パラメータ指示情報を取得する。
【０１４７】
端末が受信した干渉セルの各リソース割り当てユニットでの下り伝送パラメータ指示情報に基づいて、干渉抑制／除去処理を行う。
【０１４８】
（実施例３）
本実施例において、実施例２に比べ、下り伝送パラメータ指示情報にセルＩＤ指示情報を追加したことを特徴とする。
【０１４９】
第１ノードが、周囲の一つ又は複数の第２アクセスノードの下り伝送パラメータ指示情報を取得する。
【０１５０】
ネットワーク側は、第１ノードＰＤＳＣＨを介して、第２アクセスノードそれぞれの各リソース割り当てユニットでの下り伝送パラメータ指示情報を伝送し、第１ノードの制御領域の公共捜索空間又は端末専用の捜索空間を介して、ＰＤＳＣＨをスケジューリングするための下り制御シグナルを送信する。ここで、２アクセスノードの各リソース割り当てユニットでの下り伝送パラメータ指示情報を伝送するＰＤＳＣＨに対応する下り許可は、特定のスクランブルを用いて、下り許可制御シグナルＣＲＣについてスクランブリングを行い、例えばＮＡＩＣＳ−ＲＮＴＩ又はＩＣＳ−ＲＮＴＩ又はＳＩＣ−ＲＮＴＩであることができる。
【０１５１】
ここで、干渉セルの各リソース割り当てユニットでの下り伝送パラメータの配置方法は図１４に示すとおりである。図１４において、各リソース割り当てユニットでの下り伝送パラメータ配置は、１＋ｘ＋ｙビットで指示する。ここで、１ビット（例えば図中の（１））は、該リソース割り当てユニットに第２端末が存在するか否かを指示し、ｘビット（例えば図中の（２））は、該リソース割り当てユニット中の第２端末の伝送モード情報を指示し、該指示領域が存在するか否かは（１）の値により決められ、ｙビット（例えば図中の（３））は、該リソース割り当てユニット中の具体的な下り伝送パラメータ配置を指示し、該指示領域が存在するか否かは（１）の値により決められ、該指示領域が存在する時、該指示領域に含まれるパラメータは（２）の値により決められる。例えば、（１）の値が現在のリソース割り当てユニットに第２端末が存在しないことを表す時、該リソース割り当てユニットに対応する下りパラメータ指示シグナルには、「伝送モード情報」及び／又は「下り伝送パラメータ配置情報」が含まれなく、即ち、この時、ｘとｙはいずれも０であって、そうではなく、（１）の値が現在のリソース割り当てユニットに第２端末が存在することを表す時、該リソース割り当てユニットに対応する下りパラメータ指示シグナルには、「伝送モード情報」及び／又は「下り伝送パラメータ配置情報」が含まれ、この時、少なくともｘが０ではないか、又はｙが０ではない。
【０１５２】
後方の場合、「下り伝送パラメータ配置情報」に含まれる情報の内容は「伝送モード情報」の値により決められ、例えば：
伝送モード情報がＴＭ１又はＴＭ２を指示する時、下り伝送パラメータ配置情報は、現在のリソース割り当てユニットのセルＩＤ情報、ＭＣＳ情報、ＰＤＳＣＨ開始位置情報の中の１種類又は複種類を含む。
【０１５３】
伝送モード情報がＴＭ３を指示する時、下り伝送パラメータ配置情報は、現在のリソース割り当てユニットのセルＩＤ情報、ＭＣＳ情報、ＮＺＰ−ＣＳＩ−ＲＳ配置、ＺＰ−ＣＳＩ−ＲＳ配置、現在のリソース割り当てユニットの干渉端末に対して割り当てられたリソースインテックス情報、ＰＤＳＣＨ開始位置情報の中の１種類又は複種類を含む。
【０１５４】
伝送モード情報がＴＭ４又はＴＭ６を指示する時、下り伝送パラメータ配置情報は、現在のリソース割り当てユニットのセルＩＤ情報、ＲＩ（Ｒａｎｋ  Ｉｎｄｉｃａｔｉｏｎ）指示情報、ＰＭＩ（ｐｒｅ−ｃｏｄｉｎｇ  ｍａｔｒｉｘ  ｉｎｄｉｃａｔｉｏｎ）指示情報、ＰＤＳＣＨ開始位置情報、ＭＣＳ情報の中の１種類又は複種類を含む。
【０１５５】
伝送モード情報がＴＭ５を指示する時、下り伝送パラメータ配置情報は、現在のリソース割り当てユニットのセルＩＤ情報、多重化端末数指示情報、ＲＩ指示情報、第１のＰＭＩ指示情報、第２のＰＭＩ指示情報、ＰＤＳＣＨ開始位置情報、ＭＣＳ情報の中の１種類又は複種類を含む。その中、多重化端末数指示情報が１又はＲＩ指示情報が１である時、第２のＰＭＩ指示情報は無効である。
【０１５６】
伝送モード情報がＴＭ７を指示する時、下り伝送パラメータ配置情報は、現在のリソース割り当てユニットのセルＩＤ情報、ＰＤＳＣＨ開始位置情報、ＭＣＳ情報、現在のリソース割り当てユニットの第２端末ＩＤ情報の中の１種類又は複種類を含む。
【０１５７】
伝送モード情報がＴＭ８／９／１０を指示する時、下り伝送パラメータ配置情報は、現在のリソース割り当てユニットのセルＩＤ情報、ＤＭＲＳポート数及びポート指示情報、ＰＤＳＣＨ開始位置情報、ＭＣＳ情報、ＤＭＲＳ初期化パラメータ情報（スクランブルＩＤ情報、仮想セルＩＤ情報）の中の１種類又は複種類を含む。
【０１５８】
サービングセルは、ＵＥ−ｓｐｅｃｉｆｉｃ  ＲＲＣシグナルを介して、強干渉セル又は干渉除去／抑制を行う必要のあるセル識別子情報及び／又は関連するセルパラメータ配置情報をターゲット端末（ｖｉｃｔｉｍ  ＵＥ）へ通知する。その中、セルパラメータ配置情報は、干渉源に対応するＣＲＳパラメータ配置情報（例えばアンテナポート数量情報）、ＣＰタイプ情報、サブフレーム番号差異情報、ＭＢＳＦＮサブフレーム配置情報、上り／下りサブフレーム配置情報、特別サブフレーム配置情報の中の１種類又は複種類を含む。その中、サブフレーム番号差異情報は、第１アクセスノードに対する第２アクセスノードのサブフレーム同期誤差情報を指す。
【０１５９】
端末は、第１アクセスノードにて特定ＣＲＣのスクランブルに対応する下り許可制御シグナルを受信し、下り許可制御シグナルに基づいて、第１受信ノードのＰＤＳＣＨチャネルにて一つ又は複数の第２アクセスノード（ターゲット端末がサービングセルＵＥ−ｓｐｅｃｉｆｉｃ  ＲＲＣシグナルを受信して取得したセル識別子に対応する強干渉セルに対応する）それぞれの各リソース割り当てユニットでの下り伝送パラメータ指示情報を受信する。端末が受信したＵＥ−ｓｐｅｃｉｆｉｃ  ＲＲＣシグナルにより配置された第２アクセスノードのセル識別子指示情報に基づいて、該アクセスノードに対応する各リソース割り当てユニットでの下り伝送パラメータ指示情報を取得する。
【０１６０】
端末が受信した干渉セルの各リソース割り当てユニットでの下り伝送パラメータ指示情報に基づいて、干渉抑制／除去処理を行う。
【０１６１】
（実施例４）
第２アクセスノードは、ＲＲＣシグナル又はＭＡＣメッセージを介して、本ノードの下り伝送パラメータ指示情報を伝送し、その中、ＲＲＣシグナル又はＭＡＣメッセージはいずれも第２ノードのＰＤＳＣＨに載せられ、また、第２アクセスノードの制御領域の公共捜索空間又は端末専用の捜索空間を介して、ＰＤＳＣＨをスケジューリングするための下り制御シグナルを送信する。
【０１６２】
その中の下り伝送パラメータ指示情報は、各リソース割り当てユニットそれぞれに配置される。
【０１６３】
ここで、第２アクセスノードが各リソース割り当てユニットでの下り伝送パラメータ指示情報を伝送するＰＤＳＣＨに対応する下り許可は、特定のスクランブルを介して、下り許可制御シグナルＣＲＣについてスクランブリングを行い、例えばＮＡＩＣＳ−ＲＮＴＩ又はＩＣＳ−ＲＮＴＩ又はＳＩＣ−ＲＮＴＩである。
【０１６４】
ここで、第２アクセスノードの各リソース割り当てユニットでの下り伝送パラメータの配置方法は、図１４に示すとおりである。図１４において、下り伝送パラメータ配置に同時に、第２端末が存在するか否かを指示する指示情報、第２端末の伝送モード情報、下り伝送パラメータ配置情報の３種類の情報が含まれているとするが、尚、実際の応用において、１種又は複種類のパラメータのみを含むこともできる。該方式において、各リソース割り当てユニットでの下り伝送パラメータの配置は、１＋ｘ＋ｙビットで指示する。ここで、１ビット（例えば図中の（１））は、該リソース割り当てユニットに第２端末が存在するか否かを指示し、ｘビット（例えば図中の（２））は、該リソース割り当てユニット中の第２端末の伝送モード情報を指示し、該指示領域が存在するか否かは（１）の値により決められ、ｙビット（例えば図中の（３））は、該リソース割り当てユニット中の具体的な下り伝送パラメータ配置を指示し、該指示領域が存在するか否かは（１）の値により決められ、該指示領域が存在する時、該指示領域に含まれるパラメータは（２）の値により決められる。例えば、（１）の値が現在のリソース割り当てユニットに第２端末が存在しないことを表す時、該リソース割り当てユニットに対応する下りパラメータ指示シグナルには、「伝送モード情報」及び／又は「下り伝送パラメータ配置情報」が含まれなく、即ち、この時、ｘとｙはいずれも０であって、そうではなく、（１）の値が現在のリソース割り当てユニットに第２端末が存在することを表す時、該リソース割り当てユニットに対応する下りパラメータ指示シグナルには、「伝送モード情報」及び／又は「下り伝送パラメータ配置情報」が含まれ、この時、少なくともｘが０ではないか、又はｙが０ではない。
【０１６５】
後方の場合、「下り伝送パラメータ配置情報」に含まれる情報の内容は「伝送モード情報」の値により決められ、例えば：
伝送モード情報がＴＭ１又はＴＭ２を指示する時、下り伝送パラメータ配置情報は、現在のリソース割り当てユニットのＭＣＳ情報、ＰＤＳＣＨ開始位置情報の中の１種類又は複種類を含む。
【０１６６】
伝送モード情報がＴＭ３を指示する時、下り伝送パラメータ配置情報は、現在のリソース割り当てユニットのＭＣＳ情報、ＮＺＰ−ＣＳＩ−ＲＳ配置、ＺＰ−ＣＳＩ−ＲＳ配置、現在のリソース割り当てユニットの干渉端末に対して割り当てられたリソースインテックス情報、ＰＤＳＣＨ開始位置情報の中の１種類又は複種類を含む。
【０１６７】
伝送モード情報がＴＭ４又はＴＭ６を指示する時、下り伝送パラメータ配置情報は、現在のリソース割り当てユニットのＲＩ（Ｒａｎｋ  Ｉｎｄｉｃａｔｉｏｎ）指示情報、ＰＭＩ（ｐｒｅ−ｃｏｄｉｎｇ  ｍａｔｒｉｘ  ｉｎｄｉｃａｔｉｏｎ）指示情報、ＰＤＳＣＨ開始位置情報、ＭＣＳ情報の中の１種類又は複種類を含む。
【０１６８】
伝送モード情報がＴＭ５を指示する時、下り伝送パラメータ配置情報は、現在のリソース割り当てユニットの多重化端末数指示情報、ＲＩ指示情報、第１のＰＭＩ指示情報、第２のＰＭＩ指示情報、ＰＤＳＣＨ開始位置情報、ＭＣＳ情報の中の１種類又は複種類を含む。その中、多重化端末数指示情報が１又はＲＩ指示情報が１である時、第２のＰＭＩ指示情報は無効である。
【０１６９】
伝送モード情報がＴＭ７を指示する時、下り伝送パラメータ配置情報は、現在のリソース割り当てユニットのＰＤＳＣＨ開始位置情報、ＭＣＳ情報、現在のリソース割り当てユニットの第２端末ＩＤ情報の中の１種類又は複種類を含む。
【０１７０】
伝送モード情報がＴＭ８／９／１０を指示する時、下り伝送パラメータ配置情報は、現在のリソース割り当てユニットのＤＭＲＳポート数及びポート指示情報、ＰＤＳＣＨ開始位置情報、ＭＣＳ情報、ＤＭＲＳ初期化パラメータ情報（スクランブルＩＤ情報、仮想セルＩＤ情報）の中の１種類又は複種類を含む。
【０１７１】
サービングセルは、ＲＲＣ又はＭＡＣシグナルを介して、干渉セルのセル識別子情報及び／又は関連するセルパラメータ配置情報をターゲット端末（ｖｉｃｔｉｍ  ＵＥ）へ通知する。その中、セルパラメータ配置情報は、干渉源に対応するＣＲＳパラメータ配置情報（例えばアンテナポート数量情報）、ＣＰタイプ情報、サブフレーム番号差異情報、ＭＢＳＦＮサブフレーム配置情報、上り／下りサブフレーム配置情報、特別サブフレーム配置情報の中の１種類又は複種類を含む。その中、サブフレーム番号差異情報は、第１アクセスノードに対する第２アクセスノードのサブフレーム同期誤差情報を指す。
【０１７２】
端末はＵＥ−ｓｐｅｃｆｉｃシグナルを介して、セル識別子情報を受信し、セル識別子情報により指示されたセルの制御領域にて特定ＣＲＣのスクランブルに対応する下り許可制御シグナルを受信し、下り許可制御シグナルに基づいて、セル識別子指示情報により指示されたセルの業務チャネルにて第２アクセスノードに対応する各リソース割り当てユニットでの下り伝送パラメータ指示情報を受信する。
【０１７３】
端末が受信した干渉セルの各リソース割り当てユニットでの下り伝送パラメータ指示情報に基づいて、干渉抑制／除去処理を行う。
【０１７４】
（実施例５）
第２アクセスノードが、ＰＤＳＣＨを介して、本ノードの下り伝送パラメータ指示情報を伝送し、第２アクセスノードの制御領域の公共捜索空間又は端末専用の捜索空間を介して、ＰＤＳＣＨをスケジューリングするための下り制御シグナルを送信する。
【０１７５】
その中の下り伝送パラメータ指示情報は、各リソース割り当てユニットそれぞれに配置される。
【０１７６】
ここで、第２アクセスノードが各リソース割り当てユニットでの下り伝送パラメータ指示情報を伝送するＰＤＳＣＨに対応する下り許可は、特定のスクランブルを介して、下り許可制御シグナルＣＲＣについてスクランブリングを行い、例えばＮＡＩＣＳ−ＲＮＴＩ又はＩＣＳ−ＲＮＴＩ又はＳＩＣ−ＲＮＴＩである。
【０１７７】
ここで、第２アクセスノードの各リソース割り当てユニットでの下り伝送パラメータの配置方法は、図１４に示すとおりである。図１４において、下り伝送パラメータ配置に同時に、第２端末が存在するか否かを指示する指示情報、第２端末の伝送モード情報、第２端末の下り伝送パラメータ配置情報の３種類の情報が含まれるとするが、在実際の応用において、１種又は複種類のパラメータのみを含むこともできる。該方式において、各リソース割り当てユニットにおける下り伝送パラメータ配置は、１＋ｘ＋ｙビットで指示する。ここで、１ビット（例えば図中の（１））は、該リソース割り当てユニットに第２端末が存在するか否かを指示し、ｘビット（例えば図中の（２））は、該リソース割り当てユニット中の第２端末の伝送モード情報を指示し、該指示領域が存在するか否かは（１）の値により決められ、ｙビット（例えば図中の（３））は、該リソース割り当てユニット中の具体的な下り伝送パラメータ配置を指示し、該指示領域が存在するか否かは（１）の値により決められ、該指示領域が存在する時、該指示領域に含まれるパラメータは（２）の値により決められる。例えば、（１）の値が現在のリソース割り当てユニットに第２端末が存在しないことを表す時、該リソース割り当てユニットに対応する下りパラメータ指示シグナルには、「伝送モード情報」及び／又は「下り伝送パラメータ配置情報」が含まれなく、即ち、この時、ｘとｙはいずれも０であって、そうではなく、（１）の値が現在のリソース割り当てユニットに第２端末が存在することを表す時、該リソース割り当てユニットに対応する下りパラメータ指示シグナルには、「伝送モード情報」及び／又は「下り伝送パラメータ配置情報」が含まれ、この時、少なくともｘが０ではないか、又はｙが０ではない。
【０１７８】
後方の場合、「下り伝送パラメータ配置情報」に含まれる情報の内容は「伝送モード情報」の値により決められ、例えば：
伝送モード情報がＴＭ１又はＴＭ２を指示する時、下り伝送パラメータ配置情報は、現在のリソース割り当てユニットのＭＣＳ情報、ＰＤＳＣＨ開始位置情報の中の１種類又は複種類を含む。
【０１７９】
伝送モード情報がＴＭ３を指示する時、下り伝送パラメータ配置情報は、現在のリソース割り当てユニットのＭＣＳ情報、ＮＺＰ−ＣＳＩ−ＲＳ配置、ＺＰ−ＣＳＩ−ＲＳ配置、現在のリソース割り当てユニットの干渉端末に対して割り当てられたリソースインテックス情報、ＰＤＳＣＨ開始位置情報の中の１種類又は複種類を含む。
【０１８０】
伝送モード情報がＴＭ４又はＴＭ６を指示する時、下り伝送パラメータ配置情報は、現在のリソース割り当てユニットのＲＩ（Ｒａｎｋ  Ｉｎｄｉｃａｔｉｏｎ）指示情報、ＰＭＩ（ｐｒｅ−ｃｏｄｉｎｇ  ｍａｔｒｉｘ  ｉｎｄｉｃａｔｉｏｎ）指示情報、ＰＤＳＣＨ開始位置情報、ＭＣＳ情報の中の１種類又は複種類を含む。
【０１８１】
伝送モード情報がＴＭ５を指示する時、下り伝送パラメータ配置情報は、現在のリソース割り当てユニットの多重化端末数指示情報、ＲＩ指示情報、第１のＰＭＩ指示情報、第２のＰＭＩ指示情報、ＰＤＳＣＨ開始位置情報、ＭＣＳ情報の中の１種類又は複種類を含む。その中、多重化端末数指示情報が１又はＲＩ指示情報が１である時、第２のＰＭＩ指示情報は無効である。
【０１８２】
伝送モード情報がＴＭ７を指示する時、下り伝送パラメータ配置情報は、現在のリソース割り当てユニットのＰＤＳＣＨ開始位置情報、ＭＣＳ情報、現在のリソース割り当てユニットの第２端末ＩＤ情報の中の１種類又は複種類を含む。
【０１８３】
伝送モード情報がＴＭ８／９／１０を指示する時、下り伝送パラメータ配置情報は、現在のリソース割り当てユニットのＤＭＲＳポート数及びポート指示情報、ＰＤＳＣＨ開始位置情報、ＭＣＳ情報、ＤＭＲＳ初期化パラメータ情報（スクランブルＩＤ情報、仮想セルＩＤ情報）の中の１種類又は複種類を含む。
【０１８４】
サービングセルは、ＵＥ−ｓｐｅｃｉｆｉｃ  ＲＲＣシグナルを介して、干渉セルのセル識別子情報及び／又は関連するセルパラメータ配置情報をターゲット端末（ｖｉｃｔｉｍ  ＵＥ）へ通知する。その中、セルパラメータ配置情報は、干渉源に対応するＣＲＳパラメータ配置情報（例えばアンテナポート数量情報）、ＣＰタイプ情報、サブフレーム番号差異情報、ＭＢＳＦＮサブフレーム配置情報、上り／下りサブフレーム配置情報、特別サブフレーム配置情報の中の１種類又は複種類を含む。その中、サブフレーム番号差異情報は、第１アクセスノードに対する第２アクセスノードのサブフレーム同期誤差情報を指す。
【０１８５】
サービングセルは、第２ノードがＰＤＳＣＨを送信する時間周波数リソース位置に対応する本セルの同一の時間周波数リソース位置にていずれのデータも送信しない。
【０１８６】
端末はＵＥ−ｓｐｅｃｆｉｃシグナルを介してセル識別子情報を受信し、セル識別子情報により指示されたセルの制御領域にて特定ＣＲＣのスクランブルに対応する下り許可制御シグナルを受信し、下り許可制御シグナルに基づいて、セル識別子指示情報により指示されたセルの業務チャネルにて第２アクセスノードに対応する各リソース割り当てユニットでの下り伝送パラメータ指示情報を受信する。
【０１８７】
端末が受信した干渉セルの各リソース割り当てユニットでの下り伝送パラメータ指示情報に基づいて、干渉抑制／除去処理を行う。
【０１８８】
上記した本発明の各モジュール又は各ステップを共通の計算装置によって実現することができ、単独の計算装置に集中させることができれば、複数の計算装置から構成されるネットワークに分布させることもでき、さらに計算装置が実行可能なプログラムコードによって実現することもできるので、それらを記憶装置に記憶させて計算装置によって実行することができ、場合によっては、他の順で図に示す又は説明したステップを実行することができ、又は夫々集積回路モジュールに製作し、又はそれらの中の複数のモジュール又はステップを単一の集積回路モジュールに製作して実現できることは当業者にとって明らかなことである。このように、本発明は如何なる特定のハードウェアとソフトウェアの結合にも限定されない。
【０１８９】
以上は、本発明の好適な実施例に過ぎず、本発明を限定するものではない。当業者であれば本発明にさまざまな修正や変形が可能である。本発明の精神や原則内での全ての修正、置換、改良などは本発明の保護範囲内に含まれる。
【産業上の利用可能性】
【０１９０】
上述のように、本発明の実施例で提供する干渉処理方法、装置、ネットワーク制御ユニット及び端末によると、以下の有益な効果を実現できる：既存技術において高級受信機にとって必要とされるターゲット端末の干渉除去情報を取得する時、シグナルのオーバーヘッドが大きく、遅延が大きい問題を解決し、シグナルのオーバーヘッドを低減し、システム性能を向上させる。
【図１】
2017502600.tif 000003
【図２】
2017502600.tif 000004
【図３】
2017502600.tif 000005
【図４】
2017502600.tif 000006
【図５】
2017502600.tif 000007
【図６】
2017502600.tif 000008
【図７】
2017502600.tif 000009
【図８】
2017502600.tif 000010
【図９】
2017502600.tif 000011
【図１０】
2017502600.tif 000012
【図１１】
2017502600.tif 000013
【図１２】
2017502600.tif 000014
【図１３】
2017502600.tif 000015
【図１４】
2017502600.tif 000016
【図１５】
2017502600.tif 000017
【図１６】
2017502600.tif 000018
【図１７】
2017502600.tif 000019
【図１８】
2017502600.tif 000020
【国際調査報告】
2017502600.tif 000021
2017502600.tif 000022
2017502600.tif 000023
2017502600.tif 000024